(57)【要約】      （修正有）【課題】推奨情報を適切に選択する健康情報処理装置を提供する。【解決手段】ユーザの日常生活行動に関する情報を受け付ける受付部１３１と、受付部により受け付けられたユーザの日常生活行動に関する情報に基づいて、ユーザに関する条件と提示タイミングに関する条件とに対応付けられた推奨情報のうち、ユーザに関する条件とタイミングに関する条件とを満たす推奨情報を、ユーザに提示する推奨情報として選択する選択部１３２を備える。【選択図】図２
2017040981.tif 000002
【特許請求の範囲】
【請求項１】
ユーザの日常生活行動に関する情報を受け付ける受付部と、
前記受付部により受け付けられた前記ユーザの日常生活行動に関する情報に基づいて、前記ユーザに関する条件と提示タイミングに関する条件とに対応付けられた推奨情報のうち、前記ユーザに関する条件と前記タイミングに関する条件とを満たす推奨情報を、前記ユーザに提示する推奨情報として選択する選択部と、
を備えることを特徴とする健康情報処理装置。
【請求項２】
前記受付部は、
前記ユーザが生活習慣の改善を行う期間のうち、目標が設定される複数日にわたる期間における前記ユーザの日常生活行動に関する情報を受け付け、
前記選択部は、
前記複数日にわたる期間における目標の達成度に基づいて、前記ユーザに提示する推奨情報を選択する、
ことを特徴とする請求項１に記載の健康情報処理装置。
【請求項３】
前記複数日は１週間であることを特徴とする請求項２に記載の健康情報処理装置。
【請求項４】
前記ユーザに関する条件は、前記ユーザの属性、前記ユーザの日常生活行動に関する要素、前記ユーザの日常生活行動に関する目標の達成、および前記ユーザの他ユーザとの関連のうち少なくとも１つであり、
前記提示タイミングに関する条件は、前記ユーザの前記日常生活行動に関する情報に基づくサービスの利用状況、前記ユーザの日常生活行動に関する目標の達成、前記ユーザに関連する他ユーザの日常生活行動に関する目標の達成、および季節のうち少なくとも１つである
ことを特徴とする請求項１〜３のいずれか１項に記載の健康情報処理装置。
【請求項５】
前記受付部は、
前記ユーザの日常生活行動に関する情報として、前記ユーザの食事に関する要素、前記ユーザの運動に関する要素、前記ユーザの睡眠に関する要素、前記ユーザの飲酒に関する要素、前記ユーザの喫煙に関する要素、前記ユーザの感情状態に関する要素、前記ユーザの遺伝因子に関する要素、および前記ユーザの環境因子に関する要素のうち少なくとも２つの要素に関する情報を受け付け、
前記選択部は、
前記受付部により情報が受け付けられた要素に対応する前記ユーザに関する条件と、前記受付部により情報が受け付けられた要素に対応する前記タイミングに関する条件とを満たす推奨情報を、前記ユーザに提示する推奨情報として選択する
ことを特徴とする請求項１〜４のいずれか１項に記載の健康情報処理装置。
【請求項６】
前記受付部は、
前記ユーザと他ユーザとの関連を示す情報を受け付け、
前記選択部は、
前記他ユーザの日常生活行動に関する情報が前記ユーザに関する条件と前記タイミングに関する条件とを満たす推奨情報を、前記ユーザに提示する推奨情報として選択する
ことを特徴とする請求項１〜５のいずれか１項に記載の健康情報処理装置。
【請求項７】
前記選択部は、
前記ユーザに提示する推奨情報として、前記他ユーザの目標の達成度を示す推奨情報、または前記他ユーザへの所定の行動を促す推奨情報、または前記ユーザが前記他ユーザとともに行う所定の行動を促す推奨情報を選択する、
ことを特徴とする請求項６に記載の健康情報処理装置。
【請求項８】
前記選択部は、
推奨情報に付された優先度に基づいて、前記ユーザに提示する推奨情報を選択する
ことを特徴とする請求項１〜７のいずれか１項に記載の健康情報処理装置。
【請求項９】
前記選択部は、
前記ユーザの生活習慣に組み込む行動を示す習慣情報として登録可能な推奨情報として、前記ユーザに提示する推奨情報を選択する
ことを特徴とする請求項１〜８のいずれか１項に記載の健康情報処理装置。
【請求項１０】
コンピュータが実行する健康情報処理方法であって、
ユーザの日常生活行動に関する情報を受け付ける受付工程と、
前記受付工程により受け付けられた前記ユーザの日常生活行動に関する情報に基づいて、前記ユーザに関する条件と提示タイミングに関する条件とに対応付けられた推奨情報のうち、前記ユーザに関する条件と前記タイミングに関する条件とを満たす推奨情報を、前記ユーザに提示する推奨情報として選択する選択工程と、
を含むことを特徴とする健康情報処理方法。
【請求項１１】
ユーザの日常生活行動に関する情報を受け付ける受付手順と、
前記受付手順により受け付けられた前記ユーザの日常生活行動に関する情報に基づいて、前記ユーザに関する条件と提示タイミングに関する条件とに対応付けられた推奨情報のうち、前記ユーザに関する条件と前記タイミングに関する条件とを満たす推奨情報を、前記ユーザに提示する推奨情報として選択する選択手順と、
をコンピュータに実行させることを特徴とする健康情報処理プログラム。
【請求項１２】
ユーザに所定の行動を促す推奨情報を選択可能に表示する表示部と、
前記ユーザに選択された推奨情報を、前記ユーザの生活習慣に組み込む行動を示す習慣情報として登録する登録部と、
を備えることを特徴とする健康情報表示装置。
【請求項１３】
前記表示部は、
前記ユーザから前記表示部に表示された前記習慣情報を非表示とする指示がされた場合、所定の期間において当該習慣情報を表示しない、
ことを特徴とする請求項１２に記載の健康情報表示装置。
【請求項１４】
前記表示部は、
前記ユーザから前記表示部に表示された推奨情報を非表示とする指示がされた場合、所定の期間において当該推奨情報を表示しない、
ことを特徴とする請求項１２または請求項１３に記載の健康情報表示装置。
【請求項１５】
前記表示部は、
前記ユーザが生活習慣の改善を行う期間のうち、目標が設定される所定の期間における目標の達成度に基づく前記推奨情報を表示し、
前記登録部は、
前記ユーザに選択された推奨情報を、前記所定の期間において前記ユーザが行う行動を示す前記習慣情報として登録する
ことを特徴とする請求項１２〜１４のいずれか１項に記載の健康情報表示装置。
【請求項１６】
前記表示部は、
前記所定の期間である１週間における目標の達成度に基づく前記推奨情報を表示する
ことを特徴とする請求項１５に記載の健康情報表示装置。
【請求項１７】
前記表示部は、
前記ユーザの日常生活行動に関する情報として、前記ユーザの食事に関する要素、前記ユーザの運動に関する要素、前記ユーザの睡眠に関する要素、前記ユーザの飲酒に関する要素、前記ユーザの喫煙に関する要素、前記ユーザの感情状態に関する要素、前記ユーザの遺伝因子に関する要素、および前記ユーザの環境因子に関する要素のうち少なくとも２つの要素の各々に基づく前記推奨情報を表示し、
前記登録部は、
前記ユーザに選択された推奨情報を、前記推奨情報の前記要素に関する生活習慣を改善する行動を示す前記習慣情報として登録する、
ことを特徴とする請求項１３〜１６のいずれか１項に記載の健康情報表示装置。
【請求項１８】
前記表示部は、
他ユーザに関する所定の行動を前記ユーザに促す推奨情報を表示し、
前記登録部は、
前記ユーザに選択された推奨情報を、前記他ユーザに関する行動を示す前記習慣情報として登録する、
ことを特徴とする請求項１２〜１７のいずれか１項に記載の健康情報表示装置。
【請求項１９】
コンピュータが実行する健康情報表示方法であって、
ユーザに所定の行動を促す推奨情報を選択可能に表示する表示工程と、
前記ユーザに選択された推奨情報を、前記ユーザの生活習慣に組み込む行動を示す習慣情報として登録する登録工程と、
を含むことを特徴とする健康情報表示方法。
【請求項２０】
ユーザに所定の行動を促す推奨情報を選択可能に表示する表示手順と、
前記ユーザに選択された推奨情報を、前記ユーザの生活習慣に組み込む行動を示す習慣情報として登録する登録手順と、
をコンピュータに実行させることを特徴とする健康情報表示プログラム。
【請求項２１】
ユーザの日常生活行動に関する情報に基づく前記ユーザの生活習慣の改善の達成度と、前記ユーザに所定の行動を促す推奨情報と、前記ユーザが生活習慣に組み込むことを目指す行動に関する習慣情報とのうち、少なくとも２つが一画面に表示される画像情報を生成する生成部と、
前記生成部により生成された前記画像情報を表示する表示部と、
を備えることを特徴とする健康情報表示装置。
【請求項２２】
前記表示部に表示された前記推奨情報または前記習慣情報に関するユーザの操作を受け付ける受付部、
をさらに備え、
前記生成部は、
前記受付部により受け付けられた前記ユーザの操作に基づく前記画像情報を生成する、
ことを特徴とする請求項２１に記載の健康情報表示装置。
【請求項２３】
前記受付部は、
前記表示部に表示された前記習慣情報を非表示とする前記ユーザの操作を受け付け、
前記生成部は、
前記受付部により非表示とする前記ユーザの操作が受け付けられた習慣情報を含まない前記画像情報を生成する、
ことを特徴とする請求項２２に記載の健康情報表示装置。
【請求項２４】
前記受付部は、
前記表示部に表示された前記推奨情報を非表示とする前記ユーザの操作を受け付け、
前記生成部は、
前記受付部により非表示とする前記ユーザの操作が受け付けられた推奨情報を含まない前記画像情報を生成する、
ことを特徴とする請求項２２または請求項２３に記載の健康情報表示装置。
【請求項２５】
前記受付部は、
前記表示部に表示された前記習慣情報を完了したとする前記ユーザの操作を受け付け、
前記生成部は、
前記受付部により完了したとする前記ユーザの操作を受け付けられた習慣情報を他の習慣情報と異なる態様で表示する前記画像情報を生成する、
ことを特徴とする請求項２２〜２４のいずれか１項に記載の健康情報表示装置。
【請求項２６】
前記生成部は、
前記受付部により完了したとする前記ユーザの操作を受け付けられた習慣情報の数を示す情報を含む前記画像情報を生成する、
ことを特徴とする請求項２５に記載の健康情報表示装置。
【請求項２７】
前記生成部は、
前記受付部により完了したとする前記ユーザの操作を受け付けられた習慣情報以外の習慣情報の数を示す情報を含む前記画像情報を生成する、
ことを特徴とする請求項２５または請求項２６に記載の健康情報表示装置。
【請求項２８】
前記生成部は、
前記ユーザの日常生活行動に関する前記ユーザの食事に関する要素、前記ユーザの運動に関する要素、前記ユーザの睡眠に関する要素、前記ユーザの飲酒に関する要素、前記ユーザの喫煙に関する要素、前記ユーザの感情状態に関する要素、前記ユーザの遺伝因子に関する要素、および前記ユーザの環境因子に関する要素のうち少なくとも２つの要素の各々に基づく前記達成度、前記推奨情報、及び前記習慣情報が一画面に表示される前記画像情報を生成する、
ことを特徴とする請求項２２〜２７のいずれか１項に記載の健康情報表示装置。
【請求項２９】
前記生成部は、
前記少なくとも２つの要素の各々の達成度を含む前記画像情報を生成する、
ことを特徴とする請求項２８に記載の健康情報表示装置。
【請求項３０】
前記生成部は、
前記ユーザとの関連を有する他ユーザに関する所定の行動を前記ユーザに促す推奨情報を含む前記画像情報を生成する、
ことを特徴とする請求項２１〜２９のいずれか１項に記載の健康情報表示装置。
【請求項３１】
前記生成部は、
前記他ユーザの生活習慣に関する前記推奨情報を含む前記画像情報を生成する、
ことを特徴とする請求項３０に記載の健康情報表示装置。
【請求項３２】
前記生成部は、
前記ユーザに前記他ユーザに対する行動、または前記他ユーザとともにする行動を促す前記推奨情報を含む前記画像情報を生成する、
ことを特徴とする請求項３０または請求項３１に記載の健康情報表示装置。
【請求項３３】
前記生成部は、
前記ユーザが生活習慣の改善を行う期間のうち、目標が設定される第１期間に基づく前記達成度、前記推奨情報、及び前記習慣情報が一画面に表示される前記画像情報を生成する、
ことを特徴とする請求項２１〜３２のいずれか１項に記載の健康情報表示装置。
【請求項３４】
前記生成部は、
前記第１期間に含まれる複数の第２期間の各々における前記ユーザの生活習慣の改善の達成度を含む前記画像情報を生成する、
ことを特徴とする請求項３３に記載の健康情報表示装置。
【請求項３５】
前記生成部は、
前記第１期間である１週間に基づく前記達成度、前記推奨情報、及び前記習慣情報が一画面に表示される前記画像情報を生成する、
ことを特徴とする請求項３３または請求項３４に記載の健康情報表示装置。
【請求項３６】
コンピュータが実行する健康情報表示方法であって、
ユーザの日常生活行動に関する情報に基づく前記ユーザの生活習慣の改善の達成度と、前記ユーザに所定の行動を促す推奨情報と、前記ユーザが生活習慣に組み込むことを目指す行動に関する習慣情報とのうち、少なくとも２つが一画面に表示される画像情報を生成する生成工程と、
前記生成工程により生成された前記画像情報を表示する表示工程と、
を含むことを特徴とする健康情報表示方法。
【請求項３７】
ユーザの日常生活行動に関する情報に基づく前記ユーザの生活習慣の改善の達成度と、前記ユーザに所定の行動を促す推奨情報と、前記ユーザが生活習慣に組み込むことを目指す行動に関する習慣情報とのうち、少なくとも２つが一画面に表示される画像情報を生成する生成手順と、
前記生成手順により生成された前記画像情報を表示する表示手順と、
をコンピュータに実行させることを特徴とする健康情報表示プログラム。
【発明の詳細な説明】
【技術分野】
【０００１】
本発明は、健康情報処理装置、健康情報処理方法、健康情報処理プログラム、健康情報表示装置、健康情報表示方法、及び健康情報表示プログラムに関する。
【背景技術】
【０００２】
近年、スマートフォンなどのいわゆるスマートデバイスの普及に伴い、ヘルスケアなどの目的でアプリが多く開発されている。また、慢性疾患を予防するには、生活習慣を改善する行動変容が重要となる。従来、生活習慣を改善するために行動変容を支援する技術が提供されている。
【０００３】
しかしながら、上記の従来技術では行動変容を支援する対象者の生活習慣の改善に関する推奨情報を適切に選択することは難しい。
【先行技術文献】
【特許文献】
【０００４】
【特許文献１】特表２００４−５１２０６１号公報
【特許文献２】特開２０１１−０４８７４５号公報
【特許文献３】特開２０１０−２５７３４６号公報
【発明の概要】
【発明が解決しようとする課題】
【０００５】
本願は、上記に鑑みてなされたものであって、推奨情報を適切に選択することができる健康情報処理装置、健康情報処理方法、健康情報処理プログラム、健康情報表示装置、健康情報表示方法、及び健康情報表示プログラムを提供することを目的とする。
【課題を解決するための手段】
【０００６】
本願に係る健康情報処理装置は、受付部と、選択部とを備える。前記受付部は、ユーザの日常生活行動に関する情報を受け付ける。前記選択部は、前記受付部により受け付けられた前記ユーザの日常生活行動に関する情報に基づいて、前記ユーザに関する条件と提示タイミングに関する条件とに対応付けられた推奨情報のうち、前記ユーザに関する条件と前記タイミングに関する条件とを満たす推奨情報を、前記ユーザに提示する推奨情報として選択する。
【発明の効果】
【０００７】
実施形態の一態様によれば、推奨情報を適切に選択することができるという効果を奏する。
【図面の簡単な説明】
【０００８】
【図１】図１は、実施形態に係る健康情報処理の一例を示す図である。
【図２】図２は、実施形態に係る健康情報処理装置の構成例を示す図である。
【図３】図３は、実施形態に係る生活行動情報記憶部の一例を示す図である。
【図４】図４は、実施形態に係る推奨情報記憶部の一例を示す図である。
【図５】図５は、実施形態に係る端末装置の構成例を示す図である。
【図６】図６は、実施形態に係る達成度情報記憶部の一例を示す図である。
【図７】図７は、実施形態に係るやること情報記憶部の一例を示す図である。
【図８】図８は、実施形態に係る達成度情報を表示する画面の一例を示す図である。
【図９】図９は、実施形態に係る食事に関する評価値の算出方法の一例を示す図である。
【図１０】図１０は、実施形態に係る飲酒に関する評価値の算出方法の一例を示す図である。
【図１１】図１１は、実施形態に係る喫煙に関する評価値の算出方法の一例を示す図である。
【図１２】図１２は、実施形態に係るマイデータを入力する画面の一例を示す図である。
【図１３】図１３は、実施形態に係る目標設定を入力する画面の一例を示す図である。
【図１４】図１４は、実施形態に係るパッケージの選択に関する画面の一例を示す図である。
【図１５】図１５は、実施形態に係るパッケージの一例を示す図である。
【図１６】図１６は、実施形態に係るパッケージの他の一例を示す図である。
【図１７】図１７は、実施形態に係るやることリストの追加に関する画面の一例を示す図である。
【図１８】図１８は、実施形態に係る生活行動情報の更新方法の一例を示す図である。
【図１９】図１９は、実施形態に係る睡眠に関する情報の確認方法の一例を示す図である。
【図２０】図２０は、実施形態に係る健康指標に関する情報の入力方法の一例を示す図である。
【図２１】図２１は、実施形態に係る健康指標に関する情報の入力方法の他の一例を示す図である。
【図２２】図２２は、実施形態に係る推奨情報に関する操作方法の一例を示す図である。
【図２３】図２３は、実施形態に係るやることリストに関する操作方法の一例を示す図である。
【図２４】図２４は、実施形態に係る各要素の推移を表示する画面の一例を示す図である。
【図２５】図２５は、実施形態に係るマイリスクを表示する画面の一例を示す図である。
【図２６】図２６は、実施形態に係るやること表示に関する画面の一例を示す図である。
【図２７】図２７は、実施形態に係る画面表示の一例を示す図である。
【図２８】図２８は、実施形態に係る画面表示の一例を示す図である。
【図２９】図２９は、実施形態に係る画面表示の一例を示す図である。
【図３０】図３０は、実施形態に係る概要の一例を示す図である。
【図３１】図３１は、実施形態に係る概要の他の一例を示す図である。
【図３２】図３２は、健康情報処理装置の機能を実現するコンピュータの一例を示すハードウェア構成図である。
【発明を実施するための形態】
【０００９】
以下に、本願に係る健康情報処理装置、健康情報処理方法、健康情報処理プログラム、健康情報表示装置、健康情報表示方法、及び健康情報表示プログラムを実施するための形態（以下、「実施形態」と呼ぶ）について図面を参照しつつ詳細に説明する。なお、この実施形態により本願に係る健康情報処理装置、健康情報処理方法、健康情報処理プログラム、健康情報表示装置、健康情報表示方法、及び健康情報表示プログラムが限定されるものではない。また、以下の各実施形態において同一の部位には同一の符号を付し、重複する説明は省略される。
【００１０】
（実施形態）
〔１．健康情報処理〕
まず、図１を用いて、実施形態に係る健康情報処理の一例について説明する。図１は、実施形態に係る健康情報処理の一例を示す図である。図１に示す健康情報処理装置１００は、行動変容を支援する対象者（以下、「ターゲット」とする場合がある）の生活習慣の改善に関する推奨情報を、ターゲットが所有する端末装置１０に提示する健康情報サービスを提供する。
【００１１】
図１に示すように、健康情報処理システム１は、端末装置１０と、健康情報処理装置１００とが含まれる。端末装置１０と、健康情報処理装置１００とは図示しない所定の通信網を介して、有線または無線により通信可能に接続される。なお、図１に示した健康情報処理システム１には、複数台の端末装置１０や、複数台の健康情報処理装置１００が含まれてもよい。
【００１２】
端末装置１０は、ユーザによって利用される健康情報表示装置である。例えば、端末装置１０は、健康情報処理装置１００が提供する健康情報サービスに関するアプリケーション（以下、「ヘルスケアアプリ」とする場合がある）がインストールされた情報処理装置である。この場合、端末装置１０は、例えば、スマートフォンや、タブレット型端末や、ノート型ＰＣ（Personal  Computer）や、デスクトップＰＣや、携帯電話機や、ＰＤＡ（Personal  Digital  Assistant）等により実現される。なお、端末装置１０は、健康情報処理装置１００が提供する健康情報サービスに関する専用の情報処理装置であってもよい。図１に示す例においては、端末装置１０がタッチパネル機能を有するスマートフォンである場合を示す。なお、以下では、端末装置１０をユーザと表記する場合がある。すなわち、以下では、ユーザを端末装置１０と読み替えることもできる。
【００１３】
健康情報処理装置１００は、ユーザの日常生活行動に関する情報に基づいて、ユーザに関する条件（以下、「ターゲットに関する条件」とする場合がある）と提示タイミング（以下、単に「タイミング」とする場合がある）に関する条件とを満たす推奨情報をユーザに提示する健康情報サービスを提供する情報処理装置である。なお、推奨情報の詳細については後述する。
【００１４】
以下、図１を用いて、健康情報処理の一例を説明する。図１に示す例においては、ユーザがユーザＩＤ「Ｕ１」のユーザである場合を示す。まず、ユーザＵ１が端末装置１０にインストールされたヘルスケアアプリを起動した場合、端末装置１０には、ヘルスケアアプリのホーム画面が表示される（ステップＳ１）。
【００１５】
ここで、端末装置１０における表示領域ＡＲ１には、ユーザの生活習慣の改善の達成度を示す情報（以下、「達成度情報」とする場合がある）が表示される。図１に示す例において、ステップＳ１における端末装置１０中の表示領域ＡＲ１には、日曜日を開始日とする１週間の達成度を示す情報が表示される。なお、生活習慣の改善の達成度の詳細については後述する。また、ステップＳ１における端末装置１０中の表示領域ＡＲ２には、健康情報処理装置１００がユーザＵ１に提示する推奨情報が表示される。図１に示す例において、ステップＳ１における端末装置１０中の表示領域ＡＲ２には、推奨情報ＲＩ１と推奨情報ＲＩ２が表示される。また、ステップＳ１における端末装置１０中の表示領域ＡＲ３には、ユーザＵ１が生活習慣に組み込むことを目指す行動に関する習慣情報が含まれるやることリストが表示される。以下では、習慣情報を「やること情報」と記載する場合がある。図１に示す例において、ステップＳ１における端末装置１０中の表示領域ＡＲ３には、やることリストに含まれるやること情報ＴＩ１、やること情報ＴＩ２、やること情報ＴＩ３が表示される。なお、やることリストの詳細については後述する。
【００１６】
そして、ユーザＵ１は、ヘルスケアアプリが起動された端末装置１０に、ユーザＵ１の日常生活行動に関する情報（以下、「生活行動情報」とする場合がある）を入力する（ステップＳ２）。例えば、ユーザＵ１は、ヘルスケアアプリが提供する入力画面から生活行動情報を入力する。また、例えば、ユーザＵ１は、ユーザＵ１が身につけているウェアラブル端末ＷＤ１が端末装置１０と通信することにより、ウェアラブル端末ＷＤ１が収集したユーザＵ１の生活行動情報を、ヘルスケアアプリが起動された端末装置１０に入力する。なお、生活行動情報の入力の詳細は後述する。また、図示することは省略するが、ユーザＵ１の生活行動情報が、ヘルスケアアプリが起動された端末装置１０に入力された場合、入力された生活行動情報に基づいて端末装置１０の表示領域ＡＲ１に表示された達成度情報が更新される。
【００１７】
その後、端末装置１０は、所定のタイミングで健康情報処理装置１００に生活行動情報を送信する（ステップＳ３）。例えば、端末装置１０は、生活行動情報の受付時や１時間おき等に健康情報処理装置１００に生活行動情報を送信する。なお、端末装置１０が健康情報処理装置１００に送信する生活行動情報には、達成度情報等が含まれてもよい。
【００１８】
その後、日付が翌日に遷移した後（ステップＳ４）、健康情報処理装置１００は、ユーザＵ１に提示する推奨情報を選択する（ステップＳ５）。具体的には、健康情報処理装置１００は、前日迄におけるユーザＵ１の生活行動情報に基づいて、ユーザＵ１に提示する推奨情報を選択する。図１に示す例において、健康情報処理装置１００は、情報を提示するターゲットに関する条件と情報を提示するタイミングに関する条件とに対応付けられた推奨情報リストＲＬ１のうち、前日迄におけるユーザＵ１の生活行動情報に基づいて、ユーザＵ１に提示する推奨情報を選択する。つまり、健康情報処理装置１００は、ターゲットに関する条件と前記タイミングに関する条件とを満たす推奨情報を、ユーザＵ１に提示する推奨情報として選択する。
【００１９】
以下では、図１に示す例において、２つの推奨情報が選択される場合を例に説明する。また、図１に示す例において、ユーザＵ１が気になる健康指標として「体重、血糖、血圧」を選択しており、３日連続して目標の睡眠時間に未達成である場合を例に説明する。なお、図１に示す例においては、説明のため推奨ＩＤ「ＲＩ１２」〜「ＲＩ１４」により識別される３つの推奨情報から２つの推奨情報を選択する場合を例示する。
【００２０】
まず、推奨ＩＤ「ＲＩ１２」により識別される推奨情報「体重を知ると減る？」については、ユーザＵ１は「体重、血糖、血圧」を気になる健康指標として選択しているユーザであるため、ターゲットの条件を満たす。一方、ステップＳ５における推奨情報の選択時は、ユーザＵ１のサービス開始日の翌日でも８日後でもないため、タイミングの条件を満たさない。そのため、ステップＳ５において、健康情報処理装置１００は、推奨ＩＤ「ＲＩ１２」により識別される推奨情報「体重を知ると減る？」を選択しない。
【００２１】
また、推奨ＩＤ「ＲＩ１３」により識別される推奨情報「２０才のあなた」については、ユーザＵ１は「体重、血糖、血圧」を気になる健康指標として選択しているユーザであるため、ターゲットの条件を満たす。また、推奨ＩＤ「ＲＩ１３」により識別される推奨情報「２０才のあなた」については、タイミングの条件が設定されていないため、タイミングの条件も満たす。そのため、ステップＳ５において、健康情報処理装置１００は、推奨ＩＤ「ＲＩ１３」により識別される推奨情報「２０才のあなた」を選択する。
【００２２】
推奨ＩＤ「ＲＩ１４」により識別される推奨情報「２時間早く寝る」については、ターゲットの条件が「ａｌｌ」すなわち全ユーザであるため、ターゲットの条件を満たす。また、推奨ＩＤ「ＲＩ１４」により識別される推奨情報「２時間早く寝る」については、ユーザＵ１が睡眠の目標を３日連続で未達成であるため、タイミングの条件を満たす。そのため、ステップＳ５において、健康情報処理装置１００は、推奨ＩＤ「ＲＩ１４」により識別される推奨情報「２時間早く寝る」を選択する。すなわち、健康情報処理装置１００は、ユーザＵ１に提示する２つの推奨情報として、推奨ＩＤ「ＲＩ１３」により識別される推奨情報「２０才のあなた」と、推奨ＩＤ「ＲＩ１４」により識別される推奨情報「２時間早く寝る」とを選択する。
【００２３】
その後、健康情報処理装置１００は、ステップＳ５において選択した２つの推奨情報を端末装置１０へ配信する（ステップＳ６）。また、健康情報処理装置１００は、配信する２つの推奨情報に対応する詳細内容に関する情報も端末装置１０へ配信する。
【００２４】
そして、ステップＳ６における推奨情報の配信後において、ユーザＵ１がヘルスケアアプリを起動した場合、端末装置１０には、ステップＳ６における推奨情報を提示するヘルスケアアプリのホーム画面が表示される（ステップＳ７）。図１に示す例において、ステップＳ７における端末装置１０中の表示領域ＡＲ２には、推奨情報ＲＩ１３と推奨情報ＲＩ１４が表示される。このように、端末装置１０中の表示領域ＡＲ２には、前日迄におけるユーザＵ１の生活行動情報に基づいて選択された推奨情報が提示される。
【００２５】
次に、表示領域ＡＲ２に提示された推奨情報のやることリストへの追加について説明する。図１に示す例において、ユーザＵ１は、表示領域ＡＲ２に提示された推奨情報ＲＩ１４をやることリストに追加する推奨情報として選択する（ステップＳ８）。これにより、端末装置１０中の表示領域ＡＲ３には、推奨情報ＲＩ１４がやること情報ＴＩ１１として表示される（ステップＳ９）。すなわち、端末装置１０中の表示領域ＡＲ３には、ユーザＵ１が生活習慣に組み込むことを目指すやること情報としてやること情報ＴＩ１１「２時間早く寝る」が表示される。
【００２６】
上述したように、健康情報処理システム１において、健康情報処理装置１００は、ユーザに提示する推奨情報を適切に選択することができる。これにより、ユーザは、適切な推奨情報の提示を受けることができる。したがって、健康情報処理システム１は、ユーザが生活習慣を改善する動機づけをより適切なタイミングで与えることが可能となる。また、端末装置１０は、達成度情報と推奨情報とやること情報とをともに表示することができる。これにより、端末装置１０を利用するユーザは、複数の情報を確認することができる。したがって、端末装置１０は、ユーザビリティを向上させることができる。また、端末装置１０は、ユーザから推奨情報のやることリストへの追加の操作を受け付ける。これにより、端末装置１０を利用するユーザは、自身の操作により推奨情報をやることリストへと追加することにより、推奨情報により提示された行動を行う動機づけが強くなり、生活習慣の改善が達成される可能性がより高くなる。なお、健康情報処理システム１において、ユーザに関する条件は、前記推奨情報を提示する対象を決定するための条件である。例えば、ユーザに関する条件には、ユーザの属性、ユーザの日常生活行動に関する要素、ユーザの日常生活行動に関する目標の達成、およびユーザの他ユーザとの関連のうち少なくとも１つが含まれてもよい。ユーザに関する条件については、後述する例の他に、ユーザによる入力によって引き出した情報をユーザの属性として登録したものを含む。このようなユーザの属性としては、ユーザの就業状況、家族環境（介護者の有無）、健康行動の要因となる価値観などがある。就業状況としては、就労形態(雇用契約の採用種別など)、勤務形態（日勤、夜勤、交代制、非常勤など）、勤務環境（勤務場所、危険業務の有無、高所作業の有無、自動車運転や工作機器の運転の有無など）、勤務時間などがある。また、家族環境には、家族内の要介護者の有無、病気療養者の有無などがある。さらに、健康行動の要因となる価値観としては、健康行動をする目的、つまり、家族のため、異性の注目を浴びるため、業務上必要であるため、などが挙げられる。また、健康情報処理システム１において、提示タイミングに関する条件は、推奨情報を提示するタイミングを決定するための条件である。例えば、提示タイミングに関する条件には、ユーザの日常生活行動に関する情報に基づくサービスの利用状況、ユーザの日常生活行動に関する目標の達成、ユーザに関連する他ユーザの日常生活行動に関する目標の達成、および季節のうち少なくとも１つが含まれてもよい。
【００２７】
〔２．健康情報処理装置の構成〕
次に、図２を用いて、実施形態に係る健康情報処理装置１００の構成について説明する。図２は、実施形態に係る健康情報処理装置１００の構成例を示す図である。図２に示すように、健康情報処理装置１００は、通信部１１０と、記憶部１２０と、制御部１３０とを有する。なお、健康情報処理装置１００は、健康情報処理装置１００の管理者等から各種操作を受け付ける入力部（例えば、キーボードやマウス等）や、各種情報を表示するための表示部（例えば、液晶ディスプレイ等）を有してもよい。
【００２８】
（通信部１１０）
通信部１１０は、例えば、ＮＩＣ（Network  Interface  Card）等によって実現される。そして、通信部１１０は、ネットワークと有線または無線で接続され、端末装置１０との間で情報の送受信を行う。
【００２９】
（記憶部１２０）
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１２０は、図２に示すように、生活行動情報記憶部１２１と、推奨情報記憶部１２２とを有する。
【００３０】
（生活行動情報記憶部１２１）
実施形態に係る生活行動情報記憶部１２１は、ユーザの日常生活行動に関する情報を記憶する。図３に、実施形態に係る生活行動情報記憶部１２１の一例を示す。図３に示す生活行動情報記憶部１２１は、「ユーザＩＤ」、「日付」、「要素」、「パートナ」といった項目を有する。
【００３１】
「ユーザＩＤ」は、ユーザを識別するための識別情報を示す。また、「日付」は、対応する日常生活行動が行われた日付を示す。また、「要素」は、生活行動情報として記憶される日常生活行動における要素を示す。図３に示す例においては、「要素」として、「運動」、「睡眠」、「食事」、「お酒」、「喫煙」といった項目を有する。なお、「要素」は、健康指標にも含まれる。
【００３２】
図３に示す例において「運動」は、対応する日付におけるユーザの歩数を示す。歩数にかえて、あるいは歩数に加えて、消費カロリを示すこともできる。また、「睡眠」は、対応する日付におけるユーザの睡眠時間を示す。また、「食事」は、対応する日付におけるユーザの摂取カロリを示す。また、「お酒」は、対応する日付におけるユーザの飲酒の有無を示す。なお、「お酒」には、対応する日付におけるユーザの飲酒の量に関する情報が記憶されてもよい。また、「喫煙」は、対応する日付におけるユーザの喫煙の有無を示す。なお、図３に示す例において「お酒」および「喫煙」は、任意の要素であり、ユーザＵ１は喫煙をしないユーザであるため、要素「喫煙」に関する情報は記憶されなくてもよい。また、上記の「要素」は一例であり、例えば、「気分」などを日常生活行動における要素としてもよい。
【００３３】
また、「パートナ」は、ユーザにおける他ユーザとの関連の有無を示す。例えば、ユーザが夫婦である場合、配偶者を識別する情報が記憶される。この場合、「パートナ」には、ユーザを識別する情報が記憶されてもよい。なお、「パートナ」は、夫婦に限らず、３人以上のグループなどに関する情報が記憶されてもよい。この場合、「パートナ」には、２人以上のユーザを識別する情報が記憶されてもよい。
【００３４】
例えば、図３に示すように、ユーザＵ１は、２０１５年６月１８日に、「運動」が７５００歩であり、「睡眠」が５時間３０分であり、「食事」が１５００ｋｃａｌであり、「お酒」が無であったことを示す。また、ユーザＵ１は、ユーザＩＤ「Ｕ１５」により識別されるユーザとの関連が有ることを示す。なお、図３に示す例において、ユーザＩＤ「Ｕ２」により識別されるユーザについては、他ユーザとの関連が無いユーザであるため、「パートナ」に関する情報は記憶されなくてもよい。また、図３に示す例においては、説明のために日付ごとに各要素が記憶される例を示したが、上記例に限らず、生活行動情報記憶部１２１は、例えば、受け付けた日時ごとに各要素を記憶してもよい。
【００３５】
（推奨情報記憶部１２２）
実施形態に係る推奨情報記憶部１２２は、推奨情報に関する情報を記憶する。図４には、推奨情報記憶部１２２に記憶される推奨情報に関する情報の一例を示す。図４に示すように、推奨情報記憶部１２２は、推奨情報に関する情報として、「推奨ＩＤ」、「優先リスト」、「やること追加」、「ターゲット」、「関連指標」、「タイミング」、「推奨情報」、「詳細内容」といった項目が含まれる。
【００３６】
「推奨ＩＤ」は、推奨情報を識別するための識別情報を示す。また、「優先リスト」は、対応する推奨情報の優先度を示す。図４に示す例においては、「優先リスト」として、優先して提示する推奨情報には「１」が記憶され、優先して提示しない推奨情報には「０」が記憶される。例えば、１つの推奨情報をユーザに提示する場合において、推奨ＩＤ「ＲＩ１１」により識別される推奨情報と推奨ＩＤ「ＲＩ１２」により識別される推奨情報とがターゲット及びタイミングの条件を満たす場合、優先リストが「１」である推奨ＩＤ「ＲＩ１２」により識別される推奨情報が優先してユーザに提示される。
【００３７】
なお、「優先リスト」として、例えば、「１」〜「１０」までの１０段階の優先度や、「低」、「中」、「高」の３段階の優先度など、目的に応じて種々の優先度が用いられてもよい。また、順位１から順位Ｎ（＝推奨情報数）までの優先度が各推奨情報に割り当てられてもよい。
【００３８】
「やること追加」は、推奨情報のやることリストへの追加可否を示す。図４に示す例においては、「やること追加」として、やることリストへ追加可能な推奨情報には「１」が記憶され、やることリストへ追加できない推奨情報には「０」が記憶される。例えば、推奨ＩＤ「ＲＩ１１」により識別される推奨情報は、「やること追加」が「１」であるため、やることリストへ追加可能な推奨情報である。一方、推奨ＩＤ「ＲＩ１２」により識別される推奨情報は、「やること追加」が「０」であるため、やることリストへ追加することができない推奨情報である。例えば、やることリストに追加された推奨情報は、図１に示す例において、端末装置１０中の表示領域ＡＲ３に、やること情報として表示される。
【００３９】
「ターゲット」は、対応する推奨情報を提示するターゲットに関する条件を示す。図４に示す例においては、推奨ＩＤ「ＲＩ１１」により識別される推奨情報は、気になる健康指標に「血圧」が含まれるユーザをターゲットとすることを示す。「関連指標」は、対応する推奨情報に関連する健康指標を示す。例えば、推奨ＩＤ「ＲＩ１４」により識別される推奨情報は、「睡眠」を関連指標とする推奨情報であることを示す。例えば、関連指標は、図１に示す例において、端末装置１０中の表示領域ＡＲ３に、やること情報とされた推奨情報とともに表示される。
【００４０】
「タイミング」は、対応する推奨情報を提示するタイミングに関する条件を示す。図４に示す例においては、推奨ＩＤ「ＲＩ１２」により識別される推奨情報は、サービス開始の翌日または８日後を提示するタイミングとすることを示す。また、推奨ＩＤ「ＲＩ１４」により識別される推奨情報は、３日連続目標未達成であるときを提示するタイミングとすることを示す。
【００４１】
「推奨情報」は、ユーザに提示する推奨情報を示す。図４に示す例においては、推奨ＩＤ「ＲＩ１１」により識別される推奨情報は、推奨情報「血圧を測ろう」であることを示す。また、推奨ＩＤ「ＲＩ１２」により識別される推奨情報は、推奨情報「体重を知ると減る？」であることを示す。また、「詳細内容」は、対応する推奨情報に関する詳細内容に関する情報を示す。図４に示す例においては、推奨ＩＤ「ＲＩ１１」により識別される推奨情報の詳細内容は、詳細内容「血圧は計測できていますか？血圧は1日の中で変動します。…」であることを示す。
【００４２】
なお、推奨情報記憶部１２２は、上記に限らず、目的に応じて種々の情報を記憶してもよい。例えば、推奨情報記憶部１２２は、推奨情報の配信を希望しないユーザを識別する情報を推奨情報に対応付けて記憶してもよい。また、記憶部１２０は、生活行動情報記憶部１２１や推奨情報記憶部１２２は一例であり、上記に限らず、健康指標に関する情報やユーザが設定した目標に関する情報や生活習慣に関する情報等、健康情報サービスの提供に用いる種々の情報を記憶する。
【００４３】
（制御部１３０）
図２の説明に戻って、制御部１３０は、例えば、ＣＰＵ（Central  Processing  Unit）やＭＰＵ（Micro  Processing  Unit）等によって、健康情報処理装置１００内部の記憶装置に記憶されている各種プログラム（配信プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００４４】
図２に示すように、制御部１３０は、受付部１３１と、選択部１３２と、配信部１３３とを有し、以下に説明する情報処理の機能や作用を実現または実行する。なお、制御部１３０の内部構成は、図２に示した構成に限られず、後述する情報処理を行う構成であれば他の構成であってもよい。
【００４５】
（受付部１３１）
受付部１３１は、ユーザの日常生活行動に関する情報を受け付ける。例えば、受付部１３１は、端末装置１０からユーザの日常生活行動に関する情報として生活行動情報を受け付ける。例えば、受付部１３１は、ユーザの日常生活行動に関する情報として、ユーザの日常生活行動における複数の要素に関する情報を受け付ける。
【００４６】
受付部１３１は、ユーザの食事に関する情報、ユーザの運動に関する情報、及びユーザの睡眠に関する情報を受け付ける。また、受付部１３１は、ユーザの飲酒に関する情報、またはユーザの喫煙に関する情報を受け付ける。また、例えば、受付部１３１は、ユーザの感情状態に関する情報、またはユーザの遺伝因子に関する情報、またはユーザの環境因子に関する情報を受け付ける。また、受付部１３１は、端末装置１０からユーザにおける他ユーザとの関連を示す情報を受け付ける。なお、ここでいう感情状態には、例えば、ユーザの喜怒哀楽等のユーザが抱く心理状態等、目的に応じて種々の状態が適宜選択され用いられてもよい。また、ここでいう遺伝因子には、例えば遺伝に関する因子等、目的に応じて種々の因子が適宜選択され用いられてもよい。また、ここでいう環境因子には、例えば生物の生存、生活に影響する環境の条件等、目的に応じて種々の因子が適宜選択され用いられてもよい。
【００４７】
また、受付部１３１は、ユーザが生活習慣の改善を行う期間のうち、目標が設定される第１期間におけるユーザの日常生活行動に関する情報を受け付ける。例えば、受付部１３１は、端末装置１０から第１期間である１週間におけるユーザの日常生活行動に関する情報を受け付ける。
【００４８】
また、受付部１３１は、ユーザの気になる健康指標に関する情報を受け付けてもよい。また、例えば、受付部１３１は、体重などユーザの生体情報を受け付けてもよい。また、受付部１３１は、外部の情報処理装置から推奨情報に関する情報を受け付けてもよい。この場合、受付部１３１は、受け付けた推奨情報に関する情報を推奨情報記憶部１２２に記憶してもよい。
【００４９】
（選択部１３２）
選択部１３２は、情報を提示するターゲットに関する条件と情報を提示するタイミングに関する条件とに対応付けられた推奨情報からユーザに提示する推奨情報を選択する。例えば、選択部１３２は、推奨情報記憶部１２２に記憶された推奨情報からユーザに提示する推奨情報を選択する。具体的には、選択部１３２は、受付部１３１により受け付けられたユーザの生活行動情報に基づいて、ターゲットに関する条件とタイミングに関する条件とを満たす推奨情報を、ユーザに提示する推奨情報として選択する。例えば、選択部１３２は、複数の要素の各々に対応するターゲットに関する条件と、複数の要素の各々に対応するタイミングに関する条件とを満たす推奨情報を、ユーザに提示する推奨情報として選択する。
【００５０】
例えば、図１に示す例において、選択部１３２は、推奨ＩＤ「ＲＩ１３」により識別される推奨情報「２０才のあなた」については、「体重、血糖、血圧」を気になる健康指標として選択しているユーザＵ１に提示する推奨情報として、ターゲット及びタイミングの条件を満たす推奨ＩＤ「ＲＩ１３」により識別される推奨情報「２０才のあなた」を選択する。また、図１に示す例において、選択部１３２は、睡眠の目標を３日連続で未達成であるユーザＵ１に提示する推奨情報として、ターゲット及びタイミングの条件を満たす推奨ＩＤ「ＲＩ１４」により識別される推奨情報「２時間早く寝る」を選択する。なお、ターゲットの条件やタイミングの条件は、気になる健康指標、不定愁訴、目標達成状況、サービス利用状況、パートナの状況、季節など、目的に応じて種々の情報を条件としてもよい。
【００５１】
また、選択部１３２は、第１期間における目標の達成度に基づいて、ユーザに提示する推奨情報を選択する。第１期間は、サービス利用期間のうちの一部の期間（複数の日にわたる期間）を指す。第１の期間としては、１週間、２週間、４週間など、週を単位として設定することもでき、また、１か月、２か月、３か月など、月を単位として設定することもできる。第１の期間はユーザが目標達成のためのまとまった期間として認識しやすい、複数の日にわたる期間とすることが望ましい。第１の機会は、デフォルトで設定されていてもよいし、ユーザが複数の期間から一つを選択する選択機能を提供することでもよる。以下では、第１の期間の例として１週間を用いて説明する。具体的には、選択部１３２は、１週間における目標の達成度に基づいて、ユーザに提示する推奨情報を選択する。
【００５２】
例えば、選択部１３２は、１週間における開始初日には、推奨情報「初日の目標達成、いいスタートダッシュです。」など、１週間における序盤の時期に提示することが適切な推奨情報を選択してもよい。また、選択部１３２は、１週間における終了日前日には、推奨情報「あともう少しで目標達成、ラストスパートです。」など、１週間における終盤の時期に提示することが適切な推奨情報を選択してもよい。また、選択部１３２は、１週間における終了日には、推奨情報「生活習慣の改善の効果が出ています、次の１週間も頑張りましょう。」など、次の１週間に関する推奨情報、すなわち健康情報サービスの利用の継続を促す推奨情報をユーザに提示してもよい。
【００５３】
また、選択部１３２は、他ユーザの日常生活行動に関する情報がユーザに関する条件とタイミングに関する条件とを満たす推奨情報を、ユーザに提示する推奨情報として選択する。例えば、選択部１３２は、他ユーザの目標の達成度に基づいて、ユーザに提示する推奨情報を選択する。この場合、選択部１３２は、他ユーザの目標の達成度に関する提示を行う推奨情報や他ユーザへの所定の行動を促す推奨情報やユーザが他ユーザとともに行う所定の行動を促す推奨情報を選択する。
【００５４】
例えば、図３及び図４に示す例において、選択部１３２は、ユーザＵ１の目標の達成度に基づいて、パートナ（奥さん）として記憶されたユーザＵ１５に提示する推奨情報を選択する。例えば、選択部１３２は、睡眠時間が目標に対してマイナス１時間という日が３日連続したユーザＵ１のパートナ（奥さん）であるユーザＵ１５に、推奨情報「ご主人に休息を」を提示する。また、ユーザＵ１５に提示する推奨情報は、上記に限らず、ユーザＵ１の睡眠時間に関する情報や、夫婦ともに就寝時間を早めることを進める情報であってもよい。
【００５５】
また、選択部１３２は、推奨情報に付された優先度（優先リスト）に基づいて、ユーザに提示する推奨情報を選択する。図４に示す例において、選択部１３２は、例えば、１つの推奨情報をユーザに提示する場合において、推奨ＩＤ「ＲＩ１１」により識別される推奨情報と推奨ＩＤ「ＲＩ１２」により識別される推奨情報とがターゲット及びタイミングの条件を満たす場合、優先リストが「１」である推奨ＩＤ「ＲＩ１２」により識別される推奨情報を優先して選択する。
【００５６】
また、選択部１３２は、ユーザが選択可能な情報として、ユーザに提示する推奨情報を選択する。例えば、選択部１３２は、ユーザの生活習慣に組み込む行動を示すやること情報として登録可能な推奨情報として、ユーザに提示する推奨情報を選択する。図４に示す例において、選択部１３２は、例えば、推奨ＩＤ「ＲＩ１１」により識別される推奨情報は、「やること追加」が「１」であるため、やることリストへ追加可能な推奨情報として選択する。
【００５７】
なお、選択部１３２は、以下の式（１）を用いて推奨情報を選択してもよい。この点について、以下説明する。以下の式（１）において、各健康指標に関する目的変数Ｙは、複数の要素を説明変数ｘｉにより表される。
【００５８】
Ｙ  ＝  ｆ（ｘ１，ｘ２，ｘ３，・・・）  …  （１）
【００５９】
健康指標とは、計測可能な健康指標であり、例えば、ＢＭＩ（Body  Mass  Index）、血圧、中性脂肪、コレステロールなどである。ＢＭＩ、血圧、中性脂肪、コレステロールなどの健康指標に対して、それぞれ式（１）が導出される。すなわち、目的変数ＹをＢＭＩとした場合、ＢＭＩを推定するための関数ｆが導出され、目的変数Ｙを血圧とした場合、血圧を推定するための関数ｆが導出される。説明変数ｘｉには、生活習慣に関する要素（生活習慣因子）である食事、運動、睡眠、お酒などが用いられる。また、説明変数ｘｉには、遺伝因子、環境因子が用いられてもよい。例えば、上記における、食事とは、「摂取カロリ」のような客観指標化でき、Ｙとの因果関係を立証できる変数を指す。なお、上記の説明変数ｘｉは、一例であり、目的に応じて種々の情報が説明変数ｘｉとして用いられてもよい。
【００６０】
この場合、選択部１３２は、利用者が目的とする目的変数Ｙを定め、これに対してｘｉの各々の「目標値」を設定し、これを実現する為の影響因子ｉに関する日常行動（推奨行動）を「推奨情報」として選択する。
【００６１】
具体的には、選択部１３２は、以下の式（２）を用いて推奨情報を選択してもよい。
【００６２】
ｘｉ  ＝  ｆ−１（Ｙ）  …  （２）
【００６３】
上記の式（２）におけるｆ−１は、例えば関数ｆの逆関数を示す。例えば、逆関数ｆ−１は、目的変数Ｙを入力することにより、ある説明変数ｘｉを出力する関数である。この場合、選択部１３２は、上記の式（２）により導出された説明変数ｘｉに関する要素に基づいて、推奨情報を選択してもよい。例えば、選択部１３２は、上記の式（２）に目的変数ＹとしてＢＭＩの数値を入力した場合において、説明変数ｘｉとして要素「体重」が出力された場合、体重に関する推奨情報を選択してもよい。この場合、選択部１３２は、気になる健康指標、不定愁訴、目標達成状況、サービス利用状況、パートナの状況、季節などに基づく、ターゲットの条件及びタイミングの条件を満たす推奨情報を選択する。
【００６４】
また、選択部１３２が上記の式（１）、（２）を用いて推奨情報を選択することにより、健康情報処理装置１００は、健康情報サービスを継続する中でデータが蓄積でき、関数ｆを精度よく推定することが可能になる。これにより、健康情報処理装置１００は、既知の説明変数ｘｉの効果差異から、例えばＳＮＰ（Single  Nucleotide  Polymorphism）などの新規の説明変数を探索することが可能となる。
【００６５】
（配信部１３３）
配信部１３３は、選択部１３２により選択された推奨情報を端末装置１０へ配信する。例えば、配信部１３３は、推奨ＩＤ「ＲＩ１３」により識別される推奨情報「２０才のあなた」、及び推奨ＩＤ「ＲＩ１４」により識別される推奨情報「２時間早く寝る」の２つの推奨情報を端末装置１０へ配信する。
【００６６】
〔３．端末装置の構成〕
次に、図５を用いて、実施形態に係る端末装置１０の構成について説明する。図５は、実施形態に係る端末装置１０の構成例を示す図である。図５に示すように、端末装置１０は、通信部１１と、入力部１２と、表示部１３と、記憶部１４と、制御部１５とを有する。なお、端末装置１０は、推奨情報ややること情報を音声として出力する音出部などを有してもよい。
【００６７】
（通信部１１）
通信部１１は、例えば、通信回路等によって実現される。そして、通信部１１は、図示しない所定の通信網と有線または無線で接続され、健康情報処理装置１００との間で情報の送受信を行う。
【００６８】
（入力部１２）
入力部１２は、ユーザからの各種操作を受け付ける。例えば、入力部１２は、タッチパネル機能により表示面（例えば生成部１５５）を介してユーザからの各種操作を受け付けてもよい。また、入力部１２は、端末装置１０に設けられたボタンや、端末装置１０に接続されたキーボードやマウスからの各種操作を受け付けてもよい。例えば、入力部１２は、ヘルスケアアプリが起動された端末装置１０に対するユーザの操作に応じて、ユーザの生活行動情報を受け付ける。
【００６９】
（表示部１３）
表示部１３は、例えば液晶ディスプレイや有機ＥＬ（Electro-Luminescence）ディスプレイ等によって実現されるタブレット端末等の表示画面であり、各種情報を表示するための表示装置である。例えば、表示部１３は、後述する生成部１５５により生成された画像情報を表示する。
【００７０】
表示部１３は、ユーザに所定の行動を促す推奨情報を選択可能に表示する。また、表示部１３は、表示部１３に表示されたやること情報を非表示とするユーザの操作が受付部１５２により受け付けられた場合、所定の期間において当該やること情報を表示しない。例えば、表示部１３は、ユーザから非表示とする指示がされたやること情報を所定の期間（例えば、１週間など）表示しない。また、表示部１３は、ユーザから表示部１３に表示された推奨情報を非表示とするユーザの操作が受付部１５２により受け付けられた場合、所定の期間において当該推奨情報を表示しない。また、表示部１３は、ユーザの日常生活行動に関する複数の要素の各々に基づく推奨情報を表示する。また、表示部１３は、他ユーザに関する所定の行動をユーザに促す推奨情報を表示する。
【００７１】
また、表示部１３は、ユーザが生活習慣の改善を行う期間のうち、目標が設定される第１期間における目標の達成度に基づく推奨情報を表示する。例えば、表示部１３は、第１期間である１週間における目標の達成度に基づく推奨情報を表示する。
【００７２】
（記憶部１４）
記憶部１４は、例えば、ＲＡＭ、フラッシュメモリ等の半導体メモリ素子、または、ハードディスク、光ディスク等の記憶装置によって実現される。記憶部１４は、例えば、端末装置１０にインストールされているアプリケーションに関する情報、例えばプログラム等を記憶する。実施形態に係る記憶部１４は、図５に示すように、達成度情報記憶部１４１と、やること情報記憶部１４２とを有する。
【００７３】
（達成度情報記憶部１４１）
実施形態に係る達成度情報記憶部１４１は、ユーザの日常生活行動に関する情報を記憶する。図６に、実施形態に係る達成度情報記憶部１４１の一例を示す。図６に示す達成度情報記憶部１４１は、「日付」、「ＢＰポイント」といった項目を有する。
【００７４】
また、「日付」は、対応するＢＰ（BiosPleo）ポイントに対応する日付を示す。また、「ＢＰポイント」は、各日付や合計（１週間）のＢＰポイントを示す。図６に示す例においては、「ＢＰポイント」として、「運動」、「睡眠」、「食事」、「お酒」、「喫煙」といった項目を有する。なお、ＢＰポイントは、図６に示す例において、合計（１週間）における「運動」、「睡眠」、「食事」、「お酒」、「喫煙」のＢＰポイントの合計ポイント、１００点を目標ポイントとするが、ＢＰポイントの算出については後述する。
【００７５】
図６に示す例において「運動」は、対応する日付における運動（歩数）に関するＢＰポイントを示す。また、「睡眠」は、対応する日付におけるユーザの睡眠（睡眠時間）に関するＢＰポイントを示す。また、「食事」は、対応する日付におけるユーザの食事（摂取カロリ）に関するＢＰポイントを示す。また、「お酒」は、対応する日付におけるユーザのお酒（飲酒の有無）に関するＢＰポイントを示す。また、「喫煙」は、対応する日付におけるユーザの喫煙に関するＢＰポイントを示す。なお、図６に示す例において「お酒」および「喫煙」は、任意の要素であり、喫煙をしないユーザである場合、指標「喫煙」に関するＢＰポイントは記憶されなくてもよい。また、上記の「ＢＰポイント」は一例であり、例えば、「気分」などに関するＢＰポイントを記憶してもよい。
【００７６】
例えば、図６に示す例においては、２０１５年６月１８日に、運動に関するＢＰポイントが２点であり、睡眠に関するＢＰポイントが３点であり、食事に関するＢＰポイントが３点であり、お酒に関するＢＰポイントが３点であることを示す。また、図６に示す例においては、達成度情報記憶部１４１には、上記例に限らず、目的に応じて種々の情報が記憶されてもよい。また、図６に示す例においては、説明のために合計（１週間）のＢＰポイントが記憶される例を示したが、例えば、達成度情報記憶部１４１には、合計（１週間）のＢＰポイントが記憶されなくてもよい。
【００７７】
（やること情報記憶部１４２）
実施形態に係るやること情報記憶部１４２は、やること情報に関する情報を記憶する。図７には、やること情報記憶部１４２に記憶されるやること情報に関する情報の一例を示す。図７に示すように、やること情報記憶部１４２は、やること情報に関する情報として、「やることＩＤ」、「やること」、「関連指標」、「目標」、「１週間」といった項目が含まれる。
【００７８】
「やることＩＤ」は、やること情報を識別するための識別情報を示す。また、「やること」は、やること情報の内容を示す。「関連指標」は、対応するやること情報に関連する指標を示す。「目標」は、対応するやること情報を１週間のうちに行う頻度を示す。「１週間」は、対応するやることを１週間のうちに行った日を示す。図７に示す例においては、「１週間」として、「１日目」、「２日目」、「３日目」といった項目を有する。また、対応するやることを行った日には「○」が記憶され、対応するやることを行わなかった日には「−」が記憶される。
【００７９】
図７に示す例においては、やることＩＤ「ＴＩ１」により識別されるやること情報「本当に空腹か、口寂しいだけか考えよう」がやることリストに含まれていることを示す。また、やること情報「本当に空腹か、口寂しいだけか考えよう」の関連指標は、「食事」であり、１週間のうちに行う頻度は「７／週」、すなわち毎日であることを示す。また、やること情報「本当に空腹か、口寂しいだけか考えよう」は、１週間の１日目、３日目には行われておらず、２日目にのみ行われていることを示す。
【００８０】
なお、やること情報記憶部１４２は、上記に限らず、目的に応じて種々の情報を記憶してもよい。例えば、やること情報記憶部１４２は、ユーザが非表示に設定したやること情報に関する情報を記憶してもよい。また、記憶部１４は、達成度情報記憶部１４１ややること情報記憶部１４２は一例であり、上記に限らず、健康指標に関する情報やユーザが設定した目標に関する情報や生活習慣に関する情報等、健康情報サービスの提供に用いる種々の情報を記憶する。
【００８１】
（制御部１５）
図５の説明に戻って、制御部１５は、例えば、ＣＰＵやＭＰＵ等によって、端末装置１０内部の記憶部１４などの記憶装置に記憶されている各種プログラムがＲＡＭを作業領域として実行されることにより実現される。例えば、この各種プログラムは、インストールされているアプリケーションのプログラムが含まれる。また、制御部１５は、例えば、ＡＳＩＣやＦＰＧＡ等の集積回路により実現される。
【００８２】
図５に示すように、制御部１５は、送信部１５１と、受付部１５２と、算出部１５３と、登録部１５４と、生成部１５５とを有し、以下に説明する健康情報処理の機能や作用を実現または実行する。なお、制御部１５の内部構成は、図５に示した構成に限られず、後述する健康情報処理を行う構成であれば他の構成であってもよい。
【００８３】
（送信部１５１）
送信部１５１は、所定のタイミングで健康情報処理装置１００に生活行動情報を送信する。例えば、端末装置１０は、ヘルスケアアプリを起動した後において生活行動情報の受付時や１時間おき等に健康情報処理装置１００に生活行動情報を送信する。なお、送信部１５１が健康情報処理装置１００に送信する生活行動情報には、達成度情報等が含まれてもよい。
【００８４】
（受付部１５２）
受付部１５２は、ユーザの日常生活行動に関する情報を受け付ける。例えば、受付部１５２は、入力部１２を介してユーザの生活行動情報を受け付ける。また、受付部１５２は、通信部１１を介してユーザＵ１が身につけているウェアラブル端末ＷＤ１と通信することにより、ウェアラブル端末ＷＤ１が収集したユーザＵ１の生活行動情報を受け付ける。
【００８５】
また、受付部１５２は、表示されたやること情報を非表示とするユーザによる指示を受け付ける。また、受付部１５２は、表示された推奨情報を非表示とするユーザによる指示を受け付ける。また、受付部１５２は、表示されたやること情報を完了したとするユーザによる指定を受け付ける。また、受付部１５２は、ユーザにおける他ユーザとの関連を示す情報を受け付ける。
【００８６】
（算出部１５３）
算出部１５３は、ユーザの入力やウェアラブル端末ＷＤ１との通信により収集された生活行動情報に基づいて、評価値（ＢＰポイント）などの種々の値を算出する。例えば、算出部１５３は、生活行動情報に基づいて、ＢＰポイントを算出する。なお、算出部１５３による、ＢＰポイント（評価値）の算出の詳細については後述する。
【００８７】
（登録部１５４）
登録部１５４は、ユーザに選択された推奨情報を、ユーザの生活習慣に組み込む行動を示すやること情報として登録する。例えば、登録部１５４は、ユーザに選択された推奨情報を、ユーザの生活習慣に組み込む行動として所定の行動を示す情報が表示部１３に表示される推奨情報として登録する。具体的には、登録部１５４は、ユーザに選択された推奨情報を、やること情報としてやることリストに登録する。例えば、登録部１５４は、ユーザに選択された推奨情報を、やること情報としてやること情報記憶部１４２に登録する。
【００８８】
また、登録部１５４は、ユーザに選択された推奨情報を、推奨情報の要素に関する生活習慣を改善する行動として所定の行動を示す推奨情報として登録する。例えば、登録部１５４は、睡眠に関する生活習慣を改善する推奨情報をやること情報としてやること情報記憶部１４２に登録する。
【００８９】
また、登録部１５４は、ユーザに選択された推奨情報を、他ユーザに関する行動として所定の行動を示す情報が表示部１３に表示される推奨情報として登録する。例えば、登録部１５４は、パートナとともに行う行動に関する推奨情報がユーザに選択された場合、その推奨情報をパートナとともに行うやること情報としてとして登録する。
【００９０】
また、登録部１５４は、ユーザに選択された推奨情報を、第１期間においてユーザが行う行動として所定の行動を示す情報が表示部１３に表示される推奨情報として登録する。例えば、登録部１５４は、ユーザに選択された推奨情報を、１週間においてユーザが行うやること情報として登録する。
【００９１】
（生成部１５５）
生成部１５５は、ユーザの生活行動情報に基づくユーザの生活習慣の改善の達成度と、ユーザに所定の行動を促す推奨情報と、ユーザが生活習慣に組み込むことを目指す行動に関するやること情報とのうち、少なくとも２つが一画面に表示される画像情報を生成する。また、生成部１５５は、生成した画像情報を表示部１３に表示させる。例えば、生成部１５５は、ユーザの日常生活行動に関する複数の要素の各々に基づく達成度、推奨情報、及びやること情報が一画面に表示される画像情報を生成する。また、生成部１５５は、複数の要素の各々の達成度を含む画像情報を生成する。図１に示す例において、生成部１５５は、日曜日を開始日とする１週間の達成度を示す情報と、推奨情報と、やることリストに含まれるやること情報を一画面に表示する画像情報を生成する。これにより、図１に示す例において、端末装置１０には、表示領域ＡＲ１に日曜日を開始日とする１週間の達成度を示す情報が表示され、表示領域ＡＲ２に健康情報処理装置１００がユーザＵ１に提示する推奨情報が表示され、表示領域ＡＲ３にユーザＵ１が生活習慣に組み込むことを目指すやることリストが表示される。
【００９２】
また、生成部１５５は、受付部１５２により受け付けられたユーザの操作に基づく画像情報を生成する。例えば、生成部１５５は、受付部１５２により非表示とするユーザの操作が受け付けられたやること情報を含まない画像情報を生成する。また、生成部１５５は、受付部１５２により非表示とするユーザの操作が受け付けられた推奨情報を含まない画像情報を生成する。また、生成部１５５は、受付部１５２により完了したとするユーザの操作がされたやること情報を他のやること情報と異なる態様で表示する画像情報を生成する。また、生成部１５５は、完了したとするユーザの操作がされたやること情報の数を示す情報を含む画像情報を生成する。また、生成部１５５は、完了したとするユーザの操作がされたやること情報以外のやること情報の数を示す情報を含む画像情報を生成する。
【００９３】
また、生成部１５５は、他ユーザに関する所定の行動をユーザに促す推奨情報を含む画像情報を生成する。例えば、生成部１５５は、他ユーザの生活習慣に関する推奨情報を含む画像情報を生成する。また、例えば、生成部１５５は、ユーザに他ユーザに対する行動、または他ユーザとともにする行動を促す推奨情報を含む画像情報を生成する。図１に示す例において、生成部１５５は、パートナ（奥様）が３日連続で運動目標をクリアしたことを示す推奨情報「負けちゃいられませんね」を表示する画像情報を生成する。これにより、図１に示す例において、ステップＳ１における端末装置１０には、表示領域ＡＲ２に推奨情報ＲＩ１である「負けちゃいられませんね」が表示される。
【００９４】
また、生成部１５５は、ユーザが生活習慣の改善を行う期間のうち、目標が設定される第１期間に基づく達成度、推奨情報、及びやること情報が一画面に表示される画像情報を生成する。例えば、生成部１５５は、第１期間である１週間に基づく達成度、推奨情報、及びやること情報が一画面に表示される画像情報を生成する。また、生成部１５５は、第１期間に含まれる複数の第２期間の各々におけるユーザの生活習慣の改善の達成度を含む画像情報を生成する。図１に示す例において、生成部１５５は、第２期間である１日ごとのユーザの生活習慣の改善の達成度を含む画像情報を生成する。これにより、図１に示す例において、ステップＳ１における端末装置１０には、初日である日曜日における生活習慣の改善の達成度を示すＢＰポイント「１５」と、月曜日における生活習慣の改善の達成度を示すＢＰポイント「１６」と、火曜日（当日）における生活習慣の改善の達成度を示すＢＰポイント「１０」とが、表示領域ＡＲ１に表示される。
【００９５】
なお、上述した制御部１５による選択処理等の処理は、例えば、ＪａｖａＳｃｒｉｐｔ（登録商標）などにより実現されてもよい。また、上述した選択処理等の健康情報処理が所定のアプリケーションにより行われる場合や、選択処理等の健康情報処理が専用アプリにより行われる場合、制御部１５は、例えば、所定のアプリや専用アプリを制御するアプリ制御部を有してもよい。
【００９６】
〔４．画面情報等について〕
以下、実施形態に係る健康情報処理システム１において、端末装置１０に表示される画面情報等の詳細について説明する。
【００９７】
〔４−１．達成度情報について〕
まず、図８〜図１１を用いて、端末装置１０中の表示領域ＡＲ１に表示される達成度情報について説明する。図８は、実施形態に係る達成度情報を表示する画面の一例を示す図である。図８に示す例において、ユーザは、例えば、慢性疾患（特にメタボ）１、２次予防を目的とし、運動、食事、睡眠の生活習慣の主要３指標（要素）とお酒、喫煙の選択指標である２指標（要素）に対して、各自の目標を１週間で達成することを目指す。これにより、ユーザは、健康指標（ＢＭＩ、血圧等）の改善を目指す。図８に示す例において、第１期間（例えば、１週間）で１００ポイントとなるように、ユーザは１４．３／日を積み重ねていく。また、健康情報処理システム１においては、ユーザは、忙しくて運動できなかったり、食べ過ぎたりした場合であっても、１週間で辻褄を合わせることで目標達成を目指すことが可能となる。
【００９８】
図８に示すように、達成度情報としてＢＰポイントを示す画面ＰＥ１には、運動や睡眠等の各要素のＢＰポイントや１週間のうち１日ごとのＢＰポイントを示す情報が含まれる。図８に示す例において、画面ＰＥ１の中央部のＢＰポイントＢＰ１には、達成度情報を含む画面ＰＥ１が生成される時点における合計のＢＰポイント「２９」が表示される。なお、上述したように、ＢＰポイントは算出部１５３により算出される。
【００９９】
また、画面ＰＥ１においてＢＰポイントＢＰ１の周囲に配置された運動のＢＰポイントＣＥ１には、運動のＢＰポイント「９」が表示される。また、画面ＰＥ１においてＢＰポイントＢＰ１の周囲に配置された喫煙のＢＰポイントＣＥ２は、喫煙を要素として含まないユーザであるため他の要素と異なる表示態様で表示される。また、画面ＰＥ１においてＢＰポイントＢＰ１の周囲に配置された睡眠のＢＰポイントＣＥ３には、睡眠のＢＰポイント「４」が表示される。また、画面ＰＥ１においてＢＰポイントＢＰ１の周囲に配置されたお酒のＢＰポイントＣＥ４には、お酒のＢＰポイント「７」が表示される。また、画面ＰＥ１においてＢＰポイントＢＰ１の周囲に配置された食事のＢＰポイントＣＥ５には、食事のＢＰポイント「９」が表示される。
【０１００】
また、画面ＰＥ１においてＢＰポイントＢＰ１の下部に配置された日別ＢＰポイントＷＥ１には、日曜におけるＢＰポイント「１７」や月曜（当日）におけるＢＰポイント「１２」が表示される。なお、日別ＢＰポイントＷＥ１における月曜（当日）のＢＰポイント「１２」の下に示される「１５」は、ユーザが１週間で目標を達成するために当日において目標とするＢＰポイントを示す。
【０１０１】
ここで、図９〜図１１を用いて、各要素のＢＰポイントの算出例を示す。図９は、実施形態に係る食事に関する評価値の算出方法の一例を示す図である。また、図１０は、実施形態に係る飲酒に関する評価値の算出方法の一例を示す図である。また、図１１は、実施形態に係る喫煙に関する評価値の算出方法の一例を示す図である。
【０１０２】
まず、図９を用いて食事に関するＢＰポイントの算出について説明する。図９中の算出表ＥＰ１に示すように、食事に関して１日ごとに５段階評価がされる。例えば、食事に関するＢＰポイントの算出については、目標摂取カロリにおける減少量に対して累積摂取カロリで５段階評点し、４段階目が目標達成に必要な評価となる。例えば、ユーザが１日目の摂取カロリが１５００ｋｃａｌである場合、５段階中の４と評価され、１日目のＢＰポイントは３．６ポイントとなる。また、ユーザの２日目における１日目からの合計摂取カロリが３４００ｋｃａｌである場合、５段階中の３と評価され、２日目までの合計ＢＰポイントは５．４ポイントとなる。また、食事に関するＢＰポイントの算出において、例えば１日の摂取カロリが０ｋｃａｌである場合など欠食と判断される場合、評価を１段階下げてもよい。例えば、ユーザが３日目において欠食であった場合、５段階中の２と評価され、３日目までの合計ＢＰポイントは５．４ポイントとなる。なお、上記の食事に関するＢＰポイントの算出は一例であり、目的に応じて種々の手段によりＢＰポイントが算出部１５３により算出されてもよい。
【０１０３】
また、運動に関するＢＰポイントや睡眠に関するＢＰポイントの算出も、上記のように、目的に応じて種々の手段により算出される。例えば、運動に関するＢＰポイントの算出については、目標歩数／日に対してポイントを比例計算で割り当てる。例えば、ＢＰポイントの算出における要素（指標）が４指標の場合、１指標は満点で２５ポイントとなる。１万歩／日を目標として、１万歩を達成した日のＢＰポイントは３．５７（＝２５／７）と算出される。なお、健康情報処理システム１において、ＢＰポイントの算出における要素（指標）が４指標の場合、１指標の上限は、１２５／４＝３１．２であってもよい。
【０１０４】
また、睡眠に関するＢＰポイントの算出においては、目標睡眠時間／日に対してポイントを比例計算で割り当てる。８時間達成した日のＢＰポイントは３．５７（＝２５／７）と算出される。なお、睡眠に関するＢＰポイントの算出においては、寝だめ、すなわち累積繰り越しできないように行ってもよい。例えば、睡眠に関するＢＰポイントの算出においては、８時間など所定の時間を超える睡眠時間は、８時間として翌日以降のＢＰポイントの算出に反映してもよい。
【０１０５】
次に、図１０を用いてお酒に関するＢＰポイントの算出について説明する。図１０中の算出表ＡＰ１に示すように、お酒に関して１日ごとに５段階評価がされる。例えば、ユーザが１日目や２日目においては、飲酒の有無に関わらず、５段階中の４と評価される。また、３日目においては、１〜３日目まで飲酒を行わなかった場合、５段階中の５と評価され、３日目までの合計ＢＰポイントは１３．４ポイントとなる。一方、３日目において、１〜３日目までに１回でも飲酒を行なった場合、５段階中の４と評価され、３日目までの合計ＢＰポイントは１０．７ポイントとなる。なお、上記のお酒に関するＢＰポイントの算出は一例であり、目的に応じて種々の手段によりＢＰポイントが算出されてもよい。
【０１０６】
次に、図１１を用いて喫煙に関するＢＰポイントの算出について説明する。図１１中の算出表ＳＰ１に示すように、喫煙に関してその日までのＢＰポイントが算出される。例えば、ユーザが１日目に喫煙をしなかった場合、１日目のＢＰポイントは３．６ポイントとなる。なお、ユーザが前の週から継続して喫煙をしていない場合、１日目のＢＰポイントは４．５ポイントとなる。このように、図１１に示す例においては、喫煙に関するＢＰポイントは、継続して行わないほどより良いポイントとなる。なお、上記の喫煙に関するＢＰポイントの算出は一例であり、目的に応じて種々の手段によりＢＰポイントが算出されてもよい。
【０１０７】
〔４−２．マイデータ登録について〕
次に、図１２を用いて健康情報サービス開始時における、ユーザのマイデータの登録について説明する。図１２は、実施形態に係るマイデータを入力する画面の一例を示す図である。
【０１０８】
図１２に示すように、端末装置１０に表示されるマイデータに関する入力画面ＤＥ１〜ＤＥ４を介してユーザは、マイデータを登録する。図１２中の入力画面ＤＥ１を介して、ユーザは、性別や生年月日等の基本情報を入力する。また、図１２中の入力画面ＤＥ１において、ユーザは、摂取カロリ算出に用いられる基本情報である運動習慣を３段階から選択する。例えば、ユーザは、運動習慣として「普通」を選択する。また、図１２中の入力画面ＤＥ１において、ユーザは、基本情報であるサービス利用前の１日の歩数を入力する。図１２中の入力画面ＤＥ１においては、デフォルト表示値（男性７１００歩、女性６２００歩）が表示される。
【０１０９】
そして、図１２中の入力画面ＤＥ２を介して、ユーザは、所属事業所等の勤務情報を入力する。また、図１２中の入力画面ＤＥ３を介して、ユーザは、体重、胸囲、最高血圧等の健診データを入力する。なお、図１２中の入力画面ＤＥ３において、ユーザに入力が強く望まれる体重及び最高血圧の欄には、「＊」が付される。
【０１１０】
そして、図１２中の入力画面ＤＥ４を介して、ユーザは、食事情報として朝食、昼食、夕食の各々のカロリを入力する。図１２中の入力画面ＤＥ４においては、例えば、入力画面ＤＥ１等を介してユーザが入力した年齢、性別、身長、体重、運動習慣から摂取カロリを自動計算した数値が表示される。例えば、図１２に示す例においては、自動計算された摂取カロリが朝食、昼食、夕食に３:４:３で割り当てられる。ユーザは、自動計算され割り当てられたカロリを、合計値がほぼ同じになるように自身の食事習慣に合わせて修正する。
【０１１１】
なお、端末装置１０は、表示されるマイデータを入力する画面において、目的に応じてユーザから種々の情報の入力を受け付けてもよい。例えば、端末装置１０は、マイデータに関する所定の入力画面を介して、ユーザからパートナに関する情報の登録を受け付けてもよい。これにより、健康情報処理システム１は、ユーザと他のユーザとの関連を示す情報を受け付けてもよい。
【０１１２】
〔４−３．ユーザの目標設定について〕
次に、図１３を用いてユーザの目標設定の入力について説明する。図１３は、実施形態に係る目標設定を入力する画面の一例を示す図である。
【０１１３】
図１３に示すように、端末装置１０に表示される目標設定に関する入力画面ＤＥ１１〜ＤＥ１４を介してユーザは、目標設定に関する情報を入力する。図１３中の入力画面ＤＥ１１を介して、ユーザは、気になる健康指標を入力する。図１３に示す例において、入力画面ＤＥ１１には、気になる健康指標として、ＢＭＩ、血圧、中性脂肪などが表示される。例えば、ユーザは、各健康指標の右側に表示されたスライダＣＴを右へスライドさせることにより、対応する健康指標を気になる健康指標として登録することができる。例えば、ユーザは、健診結果などに基づいて気になっている健康指標を選択する。
【０１１４】
そして、図１３中の入力画面ＤＥ１２を介して、ユーザは、普段気になっていることを入力する。図１３に示す例において、入力画面ＤＥ１２には、普段気になっていることとして、ストレス、肩こり、腰痛などが表示される。例えば、ユーザは、普段気になっていることの各項目の右側に表示されたスライダＣＴを右へスライドさせることにより、対応する項目を普段気になっていることとして登録することができる。
【０１１５】
そして、図１３中の入力画面ＤＥ１３を介して、ユーザは、目標体重に関する情報を入力する。図１３中の入力画面ＤＥ１３においては、ＢＭＩはデフォルト選択されており、除外することも可能である。また、図１３中の入力画面ＤＥ１３において、ユーザは、目標体重を設定する。例えば、ユーザは、目標体重を数値として入力したり、目標体重に対応するスライダを左右に移動させたりすることにより、目標体重を設定してもよい。これにより、図１３中の入力画面ＤＥ１３には、目標体重達成の為に必要な節約カロリが自動計算されて表示される。図１３に示す例において、入力画面ＤＥ１３には、目標体重達成の為に必要な節約カロリが「２４１．６ｋｃａｌ／ｄａｙ」と表示される。また、図１３中の入力画面ＤＥ１３には、節約カロリに基づいた食事制限を実施した場合の体重経時変化の目安が表示される。図１３に示す例において、入力画面ＤＥ１３には、例えば、一年後の目安が、「５３．６ｋｇ」と表示される。
【０１１６】
そして、図１３中の入力画面ＤＥ１４には、入力画面ＤＥ１３において表示された節約カロリを達成する為の歩数とカロリを表示します。図１３中の入力画面ＤＥ１４において、ユーザは、運動中心とバランスの２パターンを選択できる。図１３中の入力画面ＤＥ１４には、ユーザの選択に基づいて、目標体重達成の為に、今迄よりもどれくらい歩数を増やし、食事を節制する必要があるかが表示される。例えば、図１３に示す例においては、入力画面ＤＥ１４には、目標体重達成の為に、歩数を今迄より「２２７６歩」だけ増加させ、摂取カロリを今迄より「９６ｋｃａｌ」だけ減少させる必要があることが表示される。また、図１３中の入力画面ＤＥ１４において、ユーザは、歩数、摂取カロリ、及び睡眠の各値は修正できる。
【０１１７】
〔４−４．やることリストへの追加について〕
次に、図１４〜図１７を用いてやることリストへの追加について説明する。まず、図１４〜図１６を用いてパッケージ選択によるやることリストへの追加について説明する。図１４は、実施形態に係るパッケージの選択に関する画面の一例を示す図である。図１５は、実施形態に係るパッケージの一例を示す図である。図１６は、実施形態に係るパッケージの他の一例を示す図である。
【０１１８】
図１４に示すように、端末装置１０に表示されるやることリストへの追加に関する入力画面ＤＥ２１〜ＤＥ２４を介してユーザは、パッケージ選択によるやることリストへの追加に関する情報を入力する。図１４中の入力画面ＤＥ２１に表示された「パッケージを登録してください」やその右側の追加ボタンＢＴ２１を選択することにより、パッケージの選択を入力する入力画面ＤＥ２２が表示される。
【０１１９】
図１４中の入力画面ＤＥ２２には、例えば、上から気になる健康指標に合わせたパッケージ、普段気になっていることに関するパッケージ、美容に関するパッケージの順に表示される。以下では、図１４中の入力画面ＤＥ２２において、ユーザがしっかり運動コースＳＬ１を選択した場合を例に説明する。
【０１２０】
図１４中の入力画面ＤＥ２２において、しっかり運動コースＳＬ１が選択された場合、入力画面ＤＥ２３には、パッケージ「しっかり運動コース」に関するやることリストへ追加可能な項目が表示される。図１４に示す例において、入力画面ＤＥ２３には、パッケージ「しっかり運動コース」に含まれる６つの項目が表示される。ここで、ユーザは、入力画面ＤＥ２３に表示された各項目の右側に表示された個別ボタンＢＴを選択することにより、各項目をやること情報としてやることリストへ追加することができる。また、ユーザは、入力画面ＤＥ２３に表示された項目のうち、やることリストへの追加が不要な項目をスワイプすることにより、パッケージの項目から除外することができる。例えば、図１４中の入力画面ＤＥ２３においては、項目ＥＩ１である「本当に空腹か、口寂しいだけかを考えよう」がユーザのスワイプ操作により除外された場合を示す。また、パッケージから項目ＥＩ１が除外された状態を示す入力画面ＤＥ２３において、ユーザが入力画面ＤＥ２３中の追加ボタンＢＴ１を選択すると、項目ＥＩ１を除く５つの項目がやること情報としてやることリストへ追加される。この場合、図１４中の入力画面ＤＥ２４に示すように、やることリストへの追加を確認する画面が表示される。なお、健康情報処理システム１において、やることリストに含まれるやること情報は、例えば２０個等の上限が設定されてもよい。
【０１２１】
また、図１５は、パッケージ「しっかり運動コース」に含まれる項目とその詳細内容との一覧ＰＫ１を示す。図１５に示す例において、パッケージ「しっかり運動コース」には、項目「あなたの目標歩数／日（今迄からの増分を意識）」が含まれ、その詳細内容は、「現在の歩数より少し頑張って歩いてみましょう。1000歩は、・・・」とユーザに歩くことを促す内容となっている。このように、パッケージ「しっかり運動コース」には、ユーザに運動することを促す項目が含まれる。
【０１２２】
また、図１６は、パッケージ「For  Beauty  and  Healthy  Life」に含まれる項目とその詳細内容との一覧ＰＫ２を示す。図１６に示す例において、パッケージ「For  Beauty  and  Healthy  Life」には、項目「朝起きてお水か白湯を飲む」が含まれ、その詳細内容は、「朝起きたら白湯を飲みましょう  目覚めた時の・・」とユーザに健康的な生活習慣を身につけることを促す内容となっている。このように、パッケージ「For  Beauty  and  Healthy  Life」には、ユーザに健康的な生活習慣を身につけることを促す項目が含まれる。
【０１２３】
ここから、図１７を用いて個別の項目からやることリストへの追加について説明する。図１７は、実施形態に係るやることリストへの追加に関する画面の一例を示す図である。
【０１２４】
例えば、図１７中の入力画面ＤＥ３１は、図１４中の入力画面ＤＥ２１に表示された「やることを追加してください」やその右側の追加ボタンＢＴ２２を選択することにより表示される。図１７に示す例において、入力画面ＤＥ３１には、やることリストに追加する項目を分類するカテゴリが表示される。以下では、図１７中の入力画面ＤＥ３１において、ユーザがオフィス向けエクササイズＳＬ２を選択した場合を例に説明する。
【０１２５】
図１７中の入力画面ＤＥ３１において、オフィス向けエクササイズＳＬ２が選択された場合、入力画面ＤＥ３２には、カテゴリ「オフィス向けエクササイズ」に分類され、やることリストへ追加可能な項目が表示される。図１７に示す例において、入力画面ＤＥ３２には、カテゴリ「オフィス向けエクササイズ」に分類される９つの項目が表示される。ユーザは、入力画面ＤＥ３２に表示された９つの項目のうち、好きな項目を選択してやることリストへ追加することができる。
【０１２６】
例えば、ユーザが入力画面ＤＥ３２に表示された９つの項目のうち、「手座布団首かしげ」の項目ＳＬ３を選択した場合、「手座布団首かしげ」に関する入力画面ＤＥ３３が表示される。図１７中の入力画面ＤＥ３３には、「手座布団首かしげ」に関する詳細な情報が表示されており、ユーザは、その詳細内容を確認した後、追加ボタンＢＴ３を選択することにより、「手座布団首かしげ」がやること情報としてやることリストへ追加される。その後、「手座布団首かしげ」がやること情報として追加されたホーム画面ＤＥ３４が表示されてもよい。また、ユーザが項目ＳＬ３である「手座布団首かしげ」を右側に配置されたボタンＢＴ２を選択した場合、やることリストへ追加され、「手座布団首かしげ」がやること情報として追加されたホーム画面ＤＥ３４が表示されてもよい。
【０１２７】
〔４−５．ウェアラブル端末について〕
次に、図１８を用いてウェアラブル端末による生活行動情報の収集について説明する。
図１８は、実施形態に係る生活行動情報の更新方法の一例を示す図である。
【０１２８】
図１８に示すように、ウェアラブル端末ＷＤ１は腕時計型の活動量計であり、ユーザがウェアラブル端末ＷＤ１を付けたまま日常生活をおくることにより、ウェアラブル端末ＷＤ１にユーザの生活行動情報が収集される。例えば、ウェアラブル端末ＷＤ１にユーザの歩数や睡眠に関する情報が収集される。
【０１２９】
そして、ユーザがウェアラブル端末ＷＤ１のサイドボタンを押下すること等により、ウェアラブル端末ＷＤ１が収集したユーザの生活行動情報を端末装置１０へ伝送する。例えば、ユーザがウェアラブル端末ＷＤ１を１日に数回、端末装置１０と同期させることにより、端末装置１０において歩数や睡眠に関する情報を確認する。
【０１３０】
図１８に示す例において、ウェアラブル端末ＷＤ１と同期後の端末装置１０の表示画面ＤＥ４１には、同期後の累積歩数がタイムラインに含まれる歩数表示部分ＰＭ１に表示される。具体的には、図１８に示す例において、歩数表示部分ＰＭ１には、「今日の歩数  ６３２７歩」と表示される。なお、ウェアラブル端末ＷＤ１と同期された端末装置１０においては、ＢＰポイントも再計算される。また、ユーザが歩数表示部分ＰＭ１のアイコンをタップすることにより、時間／日／週間／月毎のトレンドを示す表示画面ＤＥ４２が表示される。
【０１３１】
〔４−６．睡眠に関する情報について〕
次に、図１９を用いて睡眠に関する情報の確認について説明する。図１９は、実施形態に係る睡眠に関する情報の確認方法の一例を示す図である。
【０１３２】
図１９に示すように、端末装置１０に表示される睡眠に関する情報の表示画面ＤＥ５１〜ＤＥ５３によりユーザは、睡眠に関する情報の確認や更新を行う。例えば、ユーザの睡眠はウェアラブル端末ＷＤ１が自動判定し、ウェアラブル端末ＷＤ１に睡眠時間が記録されます。そして、ユーザがウェアラブル端末ＷＤ１を１日に数回、端末装置１０と同期させることにより、端末装置１０において睡眠に関する情報が伝送される。
【０１３３】
ここで、図１９中の表示画面ＤＥ５１には、ユーザの睡眠時間がタイムラインに含まれる睡眠時間表示部分ＳＴ１に表示される。具体的には、図１９に示す例において、睡眠時間表示部分ＳＴ１には、「睡眠時間：８時間４０分」と表示される。例えば、ユーザが表示画面ＤＥ５１中の睡眠時間表示部分ＳＴ１を選択した場合、睡眠に関する情報を確認する表示画面ＤＥ５２が表示される。ユーザは、表示画面ＤＥ５２に表示された就寝時刻や起床時刻を補正することができる。例えば、ユーザが表示画面ＤＥ５２中の「起床時刻を編集」ボタンＭＢ１を選択することにより、起床時刻を編集することができる表示画面ＤＥ５３が表示される。これにより、ユーザは、図１９中の表示画面ＤＥ５３を介して、起床時間を編集し、正しい起床時間に補正することができる。
【０１３４】
〔４−７．他の要素に関する情報について〕
次に、図２０及び図２１を用いて睡眠以外の要素に関する情報の入力について説明する。まず、図２０を用いて食事、お酒、喫煙に関する情報の入力について説明する。図２０は、実施形態に係る健康指標に関する情報の入力方法の一例を示す図である。
【０１３５】
図２０に示すように、端末装置１０に表示される健康指標に関する入力画面ＤＥ６２〜ＤＥ６６により、ユーザは、食事、お酒、喫煙に関する情報を入力する。まず、ユーザは図２０中の表示画面ＤＥ６１に表示された入力ボタンＢＴ６を選択することにより、食事ボタンＥＢ１や、お酒ボタンＡＢ１や、喫煙ボタンＳＢ１を表示画面ＤＥ６１に表示させる。
【０１３６】
ユーザは、図２０中の表示画面ＤＥ６１に表示された食事ボタンＥＢ１を選択することにより、食事量を入力する入力画面ＤＥ６２を表示させる。例えば、ユーザは、入力画面ＤＥ６２により、普段の食事の摂取量との違いを記録する。なお、ここでいう普段の摂取量とは、マイデータで設定されているカロリが対応する。図２０に示す例における入力画面ＤＥ６２では、昼食ボタンＬＢ１が選択されており、昼食に関する普段の食事の摂取量との違いを記録する。図２０に示す例においては、ユーザは普段の昼食と比較して、入力画面ＤＥ６２に表示された「食べていない」、「腹八分」、「満腹」のいずれかを選択する。例えば、ユーザが「腹八分」を選択した場合、端末装置１０には、普段の摂取カロリから−２００ｋｃａｌされたカロリが入力された入力画面ＤＥ６３が表示される。ユーザは、入力画面ＤＥ６３で表示されたカロリを修正することにより、より正確なカロリを記録することができる。また、例えば、ユーザが「満腹」を選択した場合、端末装置１０には、普段の摂取カロリから＋２００ｋｃａｌされたカロリが入力された入力画面が表示される。
【０１３７】
また、ユーザは、入力画面ＤＥ６２に表示された写真追加ボタンＰＢ１を選択することにより、写真を登録する入力画面ＤＥ６４を表示させ、入力画面ＤＥ６４を介して写真をアップロードすることができる。これにより、ユーザは、摂取カロリと併せて食事に関する写真を登録できる。
【０１３８】
また、ユーザは、図２０中の表示画面ＤＥ６１に表示されたお酒ボタンＡＢ１を選択することにより、休肝日かどうかを入力する入力画面ＤＥ６５を表示させる。例えば、ユーザは、入力画面ＤＥ６５に表示された「完了」ボタンを押下することにより、その日が休肝日であることを入力する。また、ユーザは、図２０中の表示画面ＤＥ６１に表示された喫煙ボタンＳＢ１を選択することにより、喫煙しなかった日かどうかを入力する入力画面ＤＥ６６を表示させる。例えば、ユーザは、入力画面ＤＥ６６に表示された「完了」ボタンを押下することにより、その日が喫煙しなかった日であることを入力する。
【０１３９】
ここから、図２１を用いて体重、気分に関する情報の入力について説明する。図２１は、実施形態に係る健康指標に関する情報の入力方法の他の一例を示す図である。
【０１４０】
図２１に示すように、端末装置１０に表示される健康指標に関する入力画面ＤＥ７２〜ＤＥ７４により、ユーザは、体重、気分に関する情報を入力する。まず、ユーザは図２１中の表示画面ＤＥ７１に表示された入力ボタンＢＴ７を選択することにより、体重ボタンＷＢ１や、気分ボタンＦＢ１を表示画面ＤＥ７１に表示させる。
【０１４１】
ユーザは、図２１中の表示画面ＤＥ７１に表示された体重ボタンＷＢ１を選択することにより、体重を入力する入力画面ＤＥ７２を表示させる。例えば、ユーザは、入力画面ＤＥ７２により、各日ごとの体重を記録する。
【０１４２】
また、ユーザは、図２１中の表示画面ＤＥ７１に表示された気分ボタンＦＢ１を選択することにより、気分を入力する入力画面ＤＥ７３を表示させる。例えば、ユーザは、入力画面ＤＥ７３により、その時点における気分を記録する。図２１に示す例においては、ユーザは気分を５段階で主観評価し、中央部に表示された選択ボタンＢＴ７１を左右に移動させることにより、その時の気分に関する評価を入力する。なお、ユーザは、気分を１日に複数回記録してもよい。また、ユーザは、入力画面ＤＥ７３中の「理由を教えて下さい」が表示された部分ＲＳ１を選択することにより、理由を入力する入力画面ＤＥ７４を表示させる。そして、ユーザは、入力画面ＤＥ７４に表示された理由から該当する理由を選択する。
【０１４３】
〔４−８．推奨情報に関する操作について〕
次に、図２２を用いて推奨情報に関する操作について説明する。図２２は、実施形態に係る推奨情報に関する操作方法の一例を示す図である。
【０１４４】
図２２に示すように、端末装置１０に表示される推奨情報に関する表示画面ＤＥ８１〜ＤＥ８３により、ユーザは、推奨情報に関する操作を行う。例えば、ユーザが図２２中の表示画面ＤＥ８１に表示された推奨情報表示部分ＲＡ１を選択することにより、詳細内容を含む推奨情報を表示する表示画面ＤＥ８２が表示される。また、ユーザが図２２中の表示画面ＤＥ８１に表示されたナイスボタンＮＢ１を選択することにより、その推奨情報をやることリストにやること情報として追加するかを確認する表示画面ＤＥ８３が表示される。
【０１４５】
また、ユーザが図２２中の表示画面ＤＥ８１に表示されたバツボタンＢＢ１を選択することにより、その推奨情報は、バツボタンＢＢ１が選択されてから所定の期間（例えば１週間など）において端末装置１０に表示されなくなる。なお、健康情報処理システム１においては、気になる健康指標、気になっていること（不定愁訴）、目標達成状況、サービス利用状況、パートナの状況に合わせて、賞賛、励まし、代替行動提示、目標達成の為の推奨情報が提示される。また、推奨情報は、例えば、前日データから夜間に１人毎に自動選択され、生成される。例えば、健康情報処理装置１００は、バツボタンＢＢ１を選択した推奨情報を、所定の期間、ユーザに提示する推奨情報として選択しなくてもよい。
【０１４６】
〔４−９．やることリストへの追加について〕
次に、図２３を用いてやることリストへの追加について説明する。図２３は、実施形態に係るやることリストに関する操作方法の一例を示す図である。
【０１４７】
図２３に示すように、端末装置１０に表示されるやること情報に関する表示画面ＤＥ９１〜ＤＥ９３により、ユーザは、やること情報に関する操作を行う。例えば、ユーザは、図２３中の表示画面ＤＥ９１に表示された各やること情報の左側に配置されたチェックボタンをタップすることにより、そのやること情報が完了したか未完であるかを選択することができる。図２３に示す例において、やること情報「ハグストレッチで…」に対応するチェックボタンＤＴ１は、やること情報「ハグストレッチで…」が完了していることを示す。一方、図２３に示す例において、やること情報「むくみ・くすみ…」に対応するチェックボタンＮＴ１は、やること情報「むくみ・くすみ…」が未完であることを示す。また、図２３の表示画面ＤＥ９１中の完了数表示部分ＳＡ１には、完了したやること情報の数と未完のやること情報の数が表示される。図２３に示す例において、やることリスト中の２つのやること情報が完了し、６つのやること情報が未完であることを示す。なお、図２３の表示画面ＤＥ９１において、ユーザは自身の習慣として身についたやること情報は、例えばそのやること情報が表示された部分をスワイプすること等の所定の操作により削除してもよい。
【０１４８】
また、ユーザは、図２３中の表示画面ＤＥ９１に表示されたやること情報ＴＡ１である「肩甲骨周りを整えて猫背解消」を選択することにより、その詳細を表示する表示画面ＤＥ９２を表示させる。例えば、ユーザは、表示画面ＤＥ９２に表示された「音声を聞きながらチャレンジ」と表示されたボタンＶＢ１を選択することにより、やること情報ＴＡ１に関する音声を端末装置１０に出力させることができる。また、例えば、ユーザは、表示画面ＤＥ９２に表示された動画部分ＭＶ１を選択することにより、動画表示画面ＤＥ９３を表示させ、やること情報ＴＡ１に関する動画を端末装置１０に再生させることができる。
【０１４９】
〔４−１０．その他の情報の表示について〕
次に、図２４〜図２６を用いてその他の情報の表示について説明する。まず、図２４を用いてユーザの生活行動情報の推移の表示について説明する。図２４は、実施形態に係る各要素の推移を表示する画面の一例を示す図である。
【０１５０】
図２４に示すように、端末装置１０に表示される各要素の推移を表示する表示画面ＤＥ１０１〜ＤＥ１０３により、ユーザは、運動、睡眠、食事などの各要素の推移を確認する。まず、ユーザは図２４中の表示画面ＤＥ１０１に表示された左メニューボタンＢＴ１０や運動アイコンＩＣ１、睡眠アイコンＩＣ２、食事アイコンＩＣ３などを選択することにより、各要素を重ね合わせたトレンドを表示する表示画面ＤＥ１０２を表示する。なお、表示画面ＤＥ１０２は、下方向にスクロール操作を行うことにより、表示画面ＤＥ１０３に表示を連続的に変更させることができる。つまり、図２４に示す例において、表示画面ＤＥ１０２に示される上部のグラフが歩数、食事、体重に対応し、表示画面ＤＥ１０３に示される下部のグラフが睡眠、気分、お酒、喫煙に対応する。なお、表示は上部のアイコンを選択することにより時間、日、週、月のいずれかに切替表示することができる。また、気分は日間で複数アイコンがそのまま表示されてもよく、週や月間では平均が表示されてもよい。また、お酒は休肝日の日数平均が表示されてもよい。
【０１５１】
ここで、図２４中の表示画面ＤＥ１０２には、運動に関するバーＢＲ１１〜ＢＲ１３や、食事に関するバーＢＲ２１〜ＢＲ２３や、体重に関する点ＷＰ１１などが重ね合わせて表示される。また、図２４中の表示画面ＤＥ１０３には、睡眠に関するバーＢＲ３１〜ＢＲ３３が表示される。このように、表示画面ＤＥ１０２〜ＤＥ１０３に示すように、端末装置１０は、各要素を重ね合わせたトレンドを表示することができる。なお、図２４に示す重ね合わせは一例であり、目的に応じて種々の要素を重ね合わせてトレンドを表示してもよい。
【０１５２】
次に、図２５を用いてユーザの将来のリスクに関する情報の表示について説明する。図２５は、実施形態に係るマイリスクを表示する画面の一例を示す図である。
【０１５３】
図２５に示すように、端末装置１０に表示されるマイリスクを表示する表示画面ＤＥ１１１〜ＤＥ１１２により、ユーザは、所定の要因に関する将来のリスクを確認する。具体的には、図２５に示す例においては、メタボリックシンドロームに関連する疾患リスク（今後１０年間の冠動脈疾患発症リスク）が表示される。これにより、ユーザは、現状に対して生活習慣の改善により各パラメータが改善された場合のリスク低減予測を比較できる。図２５に示す例においては、ユーザは、今後十年間のメタボリスクをパーセント表示で確認する。ユーザは図２５中の表示画面ＤＥ１１１において、自身の現状のリスクパラメータに基づく今後十年間のメタボリスクをパーセント表示で確認する。図２５に示す例においては、ユーザにおける今後十年間のメタボリスクが１３％であることが表示される。また、図２５に示す例においては、ヘルスケアアプリ（ＢｉｏｓＰｌｅｏ）で生活習慣を改善すると今後十年間のメタボリスクを６％まで減少させることができることが表示される。また、ユーザは、生活習慣改善後のパラメータを、表示画面ＤＥ１１２を介して入力することにより、そのパラメータに基づいたリスクを表示させることができる。
【０１５４】
次に、図２６を用いてやること情報に関する情報の表示について説明する。図２６は、実施形態に係るやること表示に関する画面の一例を示す図である。
【０１５５】
図２６に示すように、端末装置１０に表示されるやること情報を表示する表示画面ＤＥ１２１〜ＤＥ１２２により、ユーザは、やること情報に関する操作を行う。例えば、ユーザは、図２６中の表示画面ＤＥ１２１に表示されたごみ箱ボタンＧＢ１を選択することにより、対応するやること情報「本当に空腹か…」をやることリストから削除することができる。また、ユーザは、図２６中の表示画面ＤＥ１２１に表示されたやること情報ＴＡ１１である「本当に空腹か…」を選択することにより、ソーシャルプルーフ画面ＤＥ１２２を表示させる。ソーシャルプルーフ画面ＤＥ１２２は、選択したやること情報に関する詳細が表示され、他の参加者とのコミュニケーションサービスを提供する。例えば、ユーザは、ソーシャルプルーフ画面ＤＥ１２２に表示されたカーソルに文字を入力し、「一言」ボタンを押下することにより、他の参加者へメッセージを送信することができる。また、図２６中のソーシャルプルーフ画面ＤＥ１２２に示すように、ユーザは、他の参加者のメッセージを確認することができる。
【０１５６】
〔４−１１．健康情報処理システムの概要について〕
上述した図１等に示す例においては、ヘルスケアアプリのホーム画面に、ユーザの日常生活行動に関する複数の要素の各々に基づく達成度、推奨情報、及びやること情報が一画面に表示される場合を示した。しかしながら、健康情報システム１において、端末装置１０で起動されるヘルスケアアプリのホーム画面には、ユーザの日常生活行動に関する複数の要素の各々に基づく達成度、推奨情報、及びやること情報のうち少なくとも２つが一画面に表示されればよい。この点について、図２７〜図２９を用いて画面表示について説明する。具体的には、図２７〜図２９を用いて、ヘルスケアアプリのホーム画面の表示について説明する。
【０１５７】
まず、図２７を用いて、ヘルスケアアプリのホーム画面に、推奨情報とやること情報との２つが一画面に表示される場合について説明する。図２７に示す例において、端末装置１０中の表示領域ＡＲ１２には、健康情報処理装置１００が提示する推奨情報が表示される。図２７に示す画面例において、端末装置１０中の表示領域ＡＲ１２には、推奨情報ＲＩ１０１等が表示される。また、図２７に示す画面例において、端末装置１０中の表示領域ＡＲ１３には、やることリストに含まれるやること情報ＴＩ１０１等が表示される。このように、端末装置１０において、ヘルスケアアプリのホーム画面には、推奨情報とやること情報との２つが一画面に表示されてもよい。この場合、ヘルスケアアプリを利用するユーザは、例えば、ウェアラブル端末ＷＤ１等により生活行動情報を取集しなくても、ヘルスケアアプリを利用できる。
【０１５８】
次に、図２８を用いて、ヘルスケアアプリのホーム画面に、ユーザの日常生活行動に関する複数の要素の各々に基づく達成度と推奨情報との２つが一画面に表示される場合について説明する。図２８に示す画面例において、端末装置１０中の表示領域ＡＲ２１には、ユーザの生活習慣の改善の達成度を示す達成度情報が表示される。また、図２８に示す例において、端末装置１０中の表示領域ＡＲ２２には、健康情報処理装置１００が提示する推奨情報が表示される。図２８に示す画面例において、端末装置１０中の表示領域ＡＲ２２には、推奨情報ＲＩ２０１等が表示される。このように、端末装置１０において、ヘルスケアアプリのホーム画面には、達成度情報と推奨情報との２つが一画面に表示されてもよい。この場合、ヘルスケアアプリを利用するユーザは、例えば、やることリストを使わなくても、ヘルスケアアプリを利用できる。
【０１５９】
次に、図２９を用いて、ヘルスケアアプリのホーム画面に、ユーザの日常生活行動に関する複数の要素の各々に基づく達成度とやること情報との２つが一画面に表示される場合について説明する。図２９に示す画面例において、端末装置１０において起動されたヘルスケアアプリＡＰ１１中の表示領域ＡＲ３１には、ユーザの生活習慣の改善の達成度を示す達成度情報が表示される。また、図２９に示す画面例において、端末装置１０において起動されたヘルスケアアプリＡＰ１１中の表示領域ＡＲ３３には、やることリストに含まれるやること情報ＴＩ３０１等が表示される。このように、端末装置１０において、ヘルスケアアプリＡＰ１１のホーム画面には、達成度情報とやること情報との２つが一画面に表示されてもよい。この場合、推奨情報の提示に関する機能については、例えば、メッセージアプリとして、ヘルスケアアプリＡＰ１１とは別アプリ化してもよい。図２９に示す例において、推奨情報は、ヘルスケアアプリＡＰ１１とは別のメッセージアプリＡＰ１２により提示される。そして、ヘルスケアアプリＡＰ１１とメッセージアプリＡＰ１２とはアプリ間で連携を行い、メッセージアプリＡＰ１２において推奨情報の提示を行う。図２９に示す例において、メッセージアプリＡＰ１２中の表示領域ＡＲ３２には、推奨情報が表示される。また、図２９に示す例において、メッセージアプリＡＰ１２には、推奨情報の提示とは別機能であるコミュニケーション機能ＦＮ１２に関する情報などが表示される。このように、健康情報システム１においては、各種機能が別アプリにより実現され、各アプリ間で連携することより、ユーザに健康情報サービスを提供してもよい。
【０１６０】
〔４−１２．健康情報処理システムの概要について〕
次に、図３０及び図３１を用いて健康情報システム１の概要について説明する。図３０及び図３１は、実施形態に係る概要の一例を示す図である。
【０１６１】
図３０は、健康情報処理システム１により提供される健康情報サービスを受けるユーザＵ１と各種情報との関係図ＳＩ１を示す。このように、健康情報サービスを受けるユーザＵ１は、ＢＭＩや血圧などの健康指標に関して目標を設定し、設定した目標に関する日々の生活における実績を確認する。また、健康情報サービスを受けるユーザＵ１は、メタボなどのリスク予測などの情報により、生活習慣の改善の目標設定や実績を確認する。
【０１６２】
また、ユーザＵ１は、健康指標ごとに指定されたタイミングでの動的インフォメーションとして提示される推奨情報を自己選択する。これにより、ユーザＵ１は、自己選択した推奨情報を健康指標ごとに常時チェックする静的なインフォメーションとして確認し、習慣パッケージとして自己の生活に組み込む。したがって、ユーザＵ１は、提示された推奨情報に対する自己選択により、健康指標ごとの習慣を身につけたり、健康状態を常時チェックしたりする動機づけを得る。また、ユーザＵ１は、健康情報処理システム１により提供される運動量や摂取カロリや睡眠時間などの生活習慣データを確認することにより、容易に自己管理ができる。また、健康情報処理システム１においては、ユーザＵ１は、運動量や摂取カロリや睡眠時間などの生活習慣の改善に１日単位ではなく１週間単位で取り組むことにより、生活習慣の改善の努力を日々行わなければならないという義務感から解放された、生活習慣の改善に関する心理的な負担が緩和されることにより、自己管理することが容易となる。
【０１６３】
図３１は、健康情報処理システム１により提供される健康情報サービスを受けるユーザにおける推奨情報の提示から習慣化までの概要図ＳＩ２を示す。図３１に示すように、推奨情報（推奨行動）が提示されたユーザＵ１が、自身でやることリストへの追加を行うことにより、ユーザＵ１はそのやること情報の行動を習慣化することができ、生活習慣の改善が実現される。また、健康情報処理システム１においては、推奨情報は、医療食ノウハウ、健康系ブログ、医学論文等の種々の情報から所定の抽出エンジンにより抽出された情報に基づいて生成される。また、健康情報処理システム１においては、推奨情報の生成は、健康指標／目標ＤＢ（例えば、達成度情報記憶部１４１）や生活習慣ＤＢ（例えば、やること情報記憶部１４２）等に蓄積された情報も用いられる。
【０１６４】
このように生成された推奨情報は、推奨行動ＤＢ（例えば、推奨情報記憶部１２２）に蓄積される。また、健康情報処理システム１においては、ユーザに提示する推奨情報は、ユーザに関する食事、運動、睡眠などの生活習慣因子に関するエンカレッジエンジン（例えば、上記の式（２）を用いたエンジン）により適切に選択される。また、上記のエンカレッジエンジンにより選択された推奨情報は、ユーザの気になる健康指標、不定愁訴、ユーザの目標達成状況、ユーザのサービスの利用状況、パートナの状況、季節などに基づいて、適切なタイミングでユーザに提示される。上述したように、健康情報処理システム１は、ユーザに生活習慣を改善するためのきっかけを与え、生活習慣を改善するための行動を習慣化するように所定の報酬を与える。これにより、健康情報処理システム１は、ユーザの日常生活において生活習慣を改善するための行動の習慣化ループを構成することができる。
【０１６５】
〔５．ハードウェア構成〕
図３２は、本実施形態における健康情報処理装置１００のハードウェア構成を示す図である。健康情報処理装置１００は、ＣＰＵ３１０と、ＲＯＭ（Read  Only  Memory）３２０と、ＲＡＭ３３０と、表示部３４０と、入力部３５０とを備える。また、健康情報処理装置１００では、ＣＰＵ３１０、ＲＯＭ３２０、ＲＡＭ３３０、表示部３４０、及び入力部３５０が、バスライン３０１を介して接続されている。
【０１６６】
上述した実施形態における各種処理を行う健康情報処理プログラムは、ＲＯＭ３２０内に格納されており、バスライン３０１を介して、ＲＡＭ３３０へロードされる。ＣＰＵ３１０は、ＲＡＭ３３０内にロードされた健康情報処理プログラムを実行する。例えば、健康情報処理装置１００では、操作者による入力部３５０からの指示入力に従って、ＣＰＵ３１０が、ＲＯＭ３２０内から健康情報処理プログラムを読み出してＲＡＭ３３０内のプログラム格納領域に展開し、各種処理を実行する。ＣＰＵ３１０は、この各種処理に際して生じる各種データをＲＡＭ３３０内に形成されるデータ格納領域に一時的に記憶させておく。
【０１６７】
健康情報処理装置１００で実行される健康情報処理プログラムは、受付部１３１、選択部１３２、及び配信部１３３を含むモジュール構成となっており、これらが主記憶装置上にロードされ、これらが主記憶装置上に生成される。
【０１６８】
〔６．その他〕
実施形態は、上述した実施形態に限られるものではない。
【０１６９】
上述した実施形態で例示した物理的な構成は、あくまで一例に過ぎない。上述した実施形態で例示した各部は、運用の形態や負荷に応じて適宜統合若しくは分散される。
【０１７０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１７１】
１００  健康情報処理装置
１２１  生活行動情報記憶部
１２２  推奨情報記憶部
１３０  制御部
１３１  受付部
１３２  選択部
１３３  配信部
１０    端末装置
【図１】
2017040981.tif 000003
【図２】
2017040981.tif 000004
【図３】
2017040981.tif 000005
【図４】
2017040981.tif 000006
【図５】
2017040981.tif 000007
【図６】
2017040981.tif 000008
【図７】
2017040981.tif 000009
【図８】
2017040981.tif 000010
【図９】
2017040981.tif 000011
【図１０】
2017040981.tif 000012
【図１１】
2017040981.tif 000013
【図１２】
2017040981.tif 000014
【図１３】
2017040981.tif 000015
【図１５】
2017040981.tif 000016
【図１６】
2017040981.tif 000017
【図１７】
2017040981.tif 000018
【図１８】
2017040981.tif 000019
【図２２】
2017040981.tif 000020
【図２３】
2017040981.tif 000021
【図２４】
2017040981.tif 000022
【図２５】
2017040981.tif 000023
【図２６】
2017040981.tif 000024
【図２７】
2017040981.tif 000025
【図２８】
2017040981.tif 000026
【図２９】
2017040981.tif 000027
【図３０】
2017040981.tif 000028
【図３１】
2017040981.tif 000029
【図３２】
2017040981.tif 000030
【図１４】
2017040981.tif 000031
【図１９】
2017040981.tif 000032
【図２０】
2017040981.tif 000033
【図２１】
2017040981.tif 000034